(57)【特許請求の範囲】
【請求項１】
方法であって、
無線デバイスによって基地局から、複数のセル全ての構成パラメータを含む、少なくとも１つのメッセージを受信することであって、前記構成パラメータは、前記複数のセル上で少なくとも１つのサウンディング基準信号（ＳＲＳ）を構成するためのパラメータを含み、前記複数のセルは、前記基地局との通信のために複数の物理アップリンク制御チャネル（ＰＵＣＣＨ）グループにグループ化される、ことと、
第１のＰＵＣＣＨグループに関するサウンディングプロシージャを採用して、サブフレームおよび前記複数のＰＵＣＣＨグループのうちの前記第１のＰＵＣＣＨグループ内において、前記受信された構成パラメータを用いて構成された前記少なくとも１つのＳＲＳを伝送することであって、前記サウンディングプロシージャは、
少なくとも部分的に、前記第１のＰＵＣＣＨグループ内の物理アップリンク共有チャネル（ＰＵＳＣＨ）またはＰＵＣＣＨの伝送に依存し、
前記複数のＰＵＣＣＨグループのうちの第２のＰＵＣＣＨグループ内のＰＵＣＣＨおよびＰＵＳＣＨの伝送から独立する、
ことと、
を含み、
前記複数のセルは、同じタイミングアドバンスグループ内にある、方法。
【請求項２】
前記無線デバイスは、前記サブフレーム内でアップリンク電力が限定されない、請求項１に記載の方法。
【請求項３】
前記サウンディングプロシージャは、１つまたはそれを上回るＳＲＳを伝送するための第１のプロシージャと、１つまたはそれを上回るＳＲＳの伝送をドロップするための第２のプロシージャとを含む、請求項１または２に記載の方法。
【請求項４】
データパケットが前記第２のＰＵＣＣＨグループのセル上で伝送されるとき、前記データパケットの伝送と並行して、前記第１のＰＵＣＣＨグループのセル上でＳＲＳを伝送することと、
前記第１のＰＵＣＣＨグループの第２のセル上でのＳＲＳの構成された伝送と並行して、データパケットが前記第１のＰＵＣＣＨグループの第１のセル上で伝送されるとき、前記ＳＲＳの前記構成された伝送をドロップすることと、
をさらに含む、請求項１〜３のいずれかに記載の方法。
【請求項５】
前記第１のＰＵＣＣＨグループは、前記基地局に伝送される第１のＰＵＣＣＨを用いて構成された第１のＰＵＣＣＨセルを含み、前記第２のＰＵＣＣＨグループは、前記基地局に伝送される第２のＰＵＣＣＨを用いて構成された第２のＰＵＣＣＨセルを含み、前記方法は、
ＰＵＣＣＨ信号が前記第２のＰＵＣＣＨセル上で伝送されるとき、前記ＰＵＣＣＨ信号の伝送と並行して、前記第１のＰＵＣＣＨグループのセル上でＳＲＳを伝送することと、
前記第１のＰＵＣＣＨグループのセル上でのＳＲＳの構成された伝送と並行して、ＰＵＣＣＨ信号が前記第１のＰＵＣＣＨセル上で伝送されるとき、前記ＳＲＳの前記構成された伝送をドロップすることと、
をさらに含む、請求項１〜４のいずれかに記載の方法。
【請求項６】
前記少なくとも１つのメッセージは、ＳＲＳ帯域幅パラメータおよびＳＲＳサブフレーム構成パラメータを含む、ＳＲＳ構成パラメータを含む、請求項１〜５のいずれかに記載の方法。
【請求項７】
前記少なくとも１つのメッセージ内のメッセージに応答して、ＳＲＳタイプ１伝送をトリガすることと、
ダウンリンク物理チャネル上で伝送されるダウンリンク制御情報に応答して、ＳＲＳタイプ２伝送をトリガすることと、
をさらに含む、請求項１〜６のいずれかに記載の方法。
【請求項８】
前記複数のセルは、一次セルおよび１つまたはそれを上回る二次セルを含む、請求項１〜７のいずれかに記載の方法。
【請求項９】
無線デバイスであって、
１つまたはそれを上回るプロセッサと、
命令を記憶するメモリであって、前記命令は、実行されると、前記無線デバイスに、
複数のセル全ての構成パラメータを含む、少なくとも１つのメッセージを基地局から受信することであって、前記構成パラメータは、前記複数のセル上で少なくとも１つのサウンディング基準信号（ＳＲＳ）を構成するためのパラメータを含み、前記複数のセルは、前記基地局との通信のために複数の物理アップリンク制御チャネル（ＰＵＣＣＨ）グループにグループ化される、ことと、
第１のＰＵＣＣＨグループに関するサウンディングプロシージャを採用して、サブフレームおよび前記複数のＰＵＣＣＨグループのうちの前記第１のＰＵＣＣＨグループ内において、前記受信された構成パラメータを用いて構成された前記少なくとも１つのＳＲＳを伝送することであって、前記サウンディングプロシージャは、
少なくとも部分的に、前記第１のＰＵＣＣＨグループ内の物理アップリンク共有チャネル（ＰＵＳＣＨ）またはＰＵＣＣＨの伝送に依存し、
前記複数のＰＵＣＣＨグループのうちの第２のＰＵＣＣＨグループ内のＰＵＣＣＨおよびＰＵＳＣＨの伝送から独立する、
ことと、
を行わせる、メモリと、
を含み、
前記複数のセルは、同じタイミングアドバンスグループ内にある、無線デバイス。
【請求項１０】
前記無線デバイスは、前記サブフレーム内でアップリンク電力が限定されない、請求項９に記載の無線デバイス。
【請求項１１】
前記サウンディングプロシージャは、１つまたはそれを上回るＳＲＳを伝送するための第１のプロシージャと、１つまたはそれを上回るＳＲＳの伝送をドロップするための第２のプロシージャとを含む、請求項９または１０に記載の無線デバイス。
【請求項１２】
前記命令は、実行されると、前記無線デバイスに、
データパケットが前記第２のＰＵＣＣＨグループのセル上で伝送されるとき、前記データパケットの伝送と並行して、前記第１のＰＵＣＣＨグループのセル上でＳＲＳを伝送することと、
前記第１のＰＵＣＣＨグループの第２のセル上でのＳＲＳの構成された伝送と並行して、データパケットが前記第１のＰＵＣＣＨグループの第１のセル上で伝送されるとき、前記ＳＲＳの前記構成された伝送をドロップすることと、
をさらに行わせる、請求項９〜１１のいずれかに記載の無線デバイス。
【請求項１３】
前記第１のＰＵＣＣＨグループは、前記基地局に伝送される第１のＰＵＣＣＨを用いて構成された第１のＰＵＣＣＨセルを含み、前記第２のＰＵＣＣＨグループは、前記基地局に伝送される第２のＰＵＣＣＨを用いて構成された第２のＰＵＣＣＨセルを含み、
前記命令は、実行されると、前記無線デバイスに、
ＰＵＣＣＨ信号が前記第２のＰＵＣＣＨセル上で伝送されるとき、前記ＰＵＣＣＨ信号の伝送と並行して、前記第１のＰＵＣＣＨグループのセル上でＳＲＳを伝送することと、
前記第１のＰＵＣＣＨグループのセル上でのＳＲＳの構成された伝送と並行して、ＰＵＣＣＨ信号が前記第１のＰＵＣＣＨセル上で伝送されるとき、前記ＳＲＳの前記構成された伝送をドロップすることと、
をさらに行わせる、請求項９〜１２のいずれかに記載の無線デバイス。
【請求項１４】
前記少なくとも１つのメッセージは、ＳＲＳ帯域幅パラメータおよびＳＲＳサブフレーム構成パラメータを含む、ＳＲＳ構成パラメータを含む、請求項９〜１３のいずれかに記載の無線デバイス。
【請求項１５】
前記命令は、実行されると、前記無線デバイスに、
前記少なくとも１つのメッセージ内のメッセージに応答して、ＳＲＳタイプ１伝送をトリガすることと、
ダウンリンク物理チャネル上で伝送されるダウンリンク制御情報に応答して、ＳＲＳタイプ２伝送をトリガすることと、
をさらに行わせる、請求項９〜１４のいずれかに記載の無線デバイス。
【発明の詳細な説明】
【技術分野】
【０００１】
（関連出願の相互参照）
本願は、２０１５年４月５日に出願された米国仮出願第６２／１４３，１８１号の利益を主張するものであり、該仮出願は、その全体が参照により本明細書中に援用される。
【発明の概要】
【課題を解決するための手段】
【０００２】
本発明の例示的実施形態は、複数の物理アップリンク制御チャネル（ＰＵＣＣＨ）グループの動作をイネーブルにする。本明細書に開示される技術の実施形態は、マルチキャリア通信システムの技術分野において採用され得る。より具体的には、本明細書に開示される技術の実施形態は、ＰＵＣＣＨグループの動作に関し得る。
本発明は、例えば、以下の項目を提供する。
（項目１）
方法であって、
無線デバイスによって基地局から、
第１のＰＵＣＣＨが上記基地局に伝送される、第１のＰＵＣＣＨセルを含む、第１のＰＵＣＣＨグループと、
第２のＰＵＣＣＨが上記基地局に伝送される、第２のＰＵＣＣＨセルを含む、第２のＰＵＣＣＨグループと、
を含む、複数の物理アップリンク制御チャネル（ＰＵＣＣＨ）グループにグループ化された複数のセルの構成パラメータを含む、少なくとも１つのメッセージを受信するステップと、
上記第１のＰＵＣＣＨグループに関するサウンディングプロシージャを採用して、サブフレームおよび上記第１のＰＵＣＣＨグループ内において、少なくとも１つのＳＲＳを伝送するステップであって、上記サウンディングプロシージャは、
少なくとも部分的に、上記第１のＰＵＣＣＨグループ内の物理アップリンク共有チャネル（ＰＵＳＣＨ）またはＰＵＣＣＨの伝送に依存し、
上記第２のＰＵＣＣＨグループ内のＰＵＣＣＨおよびＰＵＳＣＨの伝送から独立する、
ステップと、
を含む、方法。
（項目２）
上記無線デバイスは、アップリンク電力が限定されない、項目１に記載の方法。
（項目３）
上記サウンディングプロシージャは、１つまたはそれを上回るＳＲＳを伝送するための第１のプロシージャと、１つまたはそれを上回るＳＲＳの伝送をドロップするための第２のプロシージャとを含む、項目１に記載の方法。
（項目４）   
上記第２のＰＵＣＣＨグループの第２のセル上の第１のデータパケットと並行して、上記第１のＰＵＣＣＨグループの第１のセル上で第１のＳＲＳを伝送するステップと、
第２のデータパケットが、第２のＳＲＳの構成された伝送と並行して、上記第１のＰＵＣＣＨグループの第３のセル上で伝送されるとき、上記第１のセル上の第２のＳＲＳの構成された伝送をドロップするステップと、
をさらに含む、項目１に記載の方法。
（項目５）   
上記第２のＰＵＣＣＨセル上の第１のＰＵＣＣＨ信号と並行して、上記第１のＰＵＣＣＨグループの第１のセル上で第１のＳＲＳを伝送するステップと、
第２のＰＵＣＣＨ信号が、第２のＳＲＳの構成された伝送と並行して、上記第１のＰＵＣＣＨセル上で伝送されるとき、上記第１のセル上の第２のＳＲＳの構成された伝送をドロップするステップと、
をさらに含む、項目１に記載の方法。
（項目６）
上記少なくとも１つのメッセージは、ＳＲＳ帯域幅パラメータおよびＳＲＳサブフレーム構成パラメータを含む、ＳＲＳ構成パラメータを含む、項目１に記載の方法。
（項目７）   
上記少なくとも１つのメッセージ内のメッセージに応答して、ＳＲＳタイプ１伝送をトリガするステップと、
ダウンリンク物理チャネル上で伝送されるダウンリンク制御情報に応答して、ＳＲＳタイプ２伝送をトリガするステップと、
をさらに含む、項目１に記載の方法。
（項目８）
方法であって、
無線デバイスによって基地局から、
第１のＰＵＣＣＨが上記基地局に伝送される、第１のＰＵＣＣＨセルを含む、第１のＰＵＣＣＨグループと、
第２のＰＵＣＣＨが上記基地局に伝送される、第２のＰＵＣＣＨセルを含む、第２のＰＵＣＣＨグループと、
を含む複数の物理アップリンク制御チャネル（ＰＵＣＣＨ）グループにグループ化された複数のセルの構成パラメータを含む、少なくとも１つのメッセージを受信するステップと、
上記第２のＰＵＣＣＨグループの第２のセル上の第１のデータパケットと並行して、上記第１のＰＵＣＣＨグループの第１のセル上で第１のＳＲＳを伝送するステップと、
第２のデータパケットが、第２のＳＲＳの構成された伝送と並行して、上記第１のＰＵＣＣＨグループの第３のセル上で伝送されるとき、上記第１のセル上の第２のＳＲＳの構成された伝送をドロップするステップと、
を含む、方法。
（項目９）   
上記第１のセルは、上記第１のＰＵＣＣＨセルと同一である、または
上記第２のセルは、上記第２のＰＵＣＣＨセルと同一である、項目８に記載の方法。
（項目１０）
上記第１のＳＲＳと並行して、上記第２のＰＵＣＣＨセル上で第１のＰＵＣＣＨ信号を伝送するステップをさらに含む、項目８に記載の方法。
（項目１１） 
上記無線デバイスは、アップリンク電力が限定されない、項目８に記載の方法。
（項目１２）
上記少なくとも１つのメッセージは、
ＳＲＳ帯域幅パラメータと、
ＳＲＳサブフレーム構成パラメータと、
を含む、ＳＲＳ構成パラメータを含む、項目８に記載の方法。
（項目１３） 
上記少なくとも１つのメッセージ内のメッセージに応答して、ＳＲＳタイプ１伝送をトリガするステップと、
ダウンリンク物理チャネル上で伝送されるダウンリンク制御情報に応答して、ＳＲＳタイプ２伝送をトリガするステップと、
をさらに含む、項目８に記載の方法。
（項目１４）
方法であって、
無線デバイスによって基地局から、
第１のＰＵＣＣＨが上記基地局に伝送される、第１のＰＵＣＣＨセルを含む、第１のＰＵＣＣＨグループと、
第２のＰＵＣＣＨが上記基地局に伝送される、第２のＰＵＣＣＨセルを含む、第２のＰＵＣＣＨグループと、
を含む複数の物理アップリンク制御チャネル（ＰＵＣＣＨ）グループにグループ化された複数のセルの構成パラメータを含む、少なくとも１つのメッセージを受信するステップと、
上記第２のＰＵＣＣＨセル上の第１のＰＵＣＣＨ信号と並行して、上記第１のＰＵＣＣＨグループの第１のセル上で第１のＳＲＳを伝送するステップと、
第２のＰＵＣＣＨ信号が、第２のＳＲＳの構成された伝送と並行して、上記第１のＰＵＣＣＨセル上で伝送されるとき、上記第１のセル上の第２のＳＲＳの構成された伝送をドロップするステップと、
を含む、方法。
（項目１５）
上記第１のセルは、上記第１のＰＵＣＣＨセルと同一である、項目１４に記載の方法。
（項目１６）
上記第１のＳＲＳと並行して、上記第２のＰＵＣＣＨグループ上で第１のデータパケットを伝送するステップをさらに含む、項目１４に記載の方法。
（項目１７） 
上記第１のＰＵＣＣＨ信号および上記第２のＰＵＣＣＨ信号は、ＰＵＣＣＨフォーマット２／２ａ／２ｂであって、上記第１のＳＲＳおよび上記第２のＳＲＳは、タイプ０である、または
上記第１のＰＵＣＣＨ信号および上記第２のＰＵＣＣＨ信号は、ＨＡＲＱ−ＡＣＫ伝送を用いたＰＵＣＣＨフォーマット２ａ／２ｂであって、上記第１のＳＲＳおよび上記第２のＳＲＳは、タイプ１である、項目１４に記載の方法。
（項目１８）
上記無線デバイスは、アップリンク電力が限定されない、項目１４に記載の方法。
（項目１９）
上記少なくとも１つのメッセージは、
ＳＲＳ帯域幅パラメータと、
ＳＲＳサブフレーム構成パラメータと、
を含む、ＳＲＳ構成パラメータを含む、項目１４に記載の方法。
（項目２０） 
上記少なくとも１つのメッセージ内のメッセージに応答して、ＳＲＳタイプ１伝送をトリガするステップと、
ダウンリンク物理チャネル上で伝送されるダウンリンク制御情報に応答して、ＳＲＳタイプ２伝送をトリガするステップと、
をさらに含む、項目１４に記載の方法。
（項目２１）
方法であって、
複数の物理アップリンク制御チャネル（ＰＵＣＣＨ）グループにグループ化された複数のセルの構成パラメータを含む、少なくとも１つのメッセージを受信するステップと、
第１のＰＵＣＣＨグループに関するサウンディングプロシージャを採用して、サブフレームおよび第１のＰＵＣＣＨグループ内において、少なくとも１つのＳＲＳを伝送するステップであって、上記サウンディングプロシージャは、
少なくとも部分的に、上記第１のＰＵＣＣＨグループ内の物理アップリンク共有チャネル（ＰＵＳＣＨ）またはＰＵＣＣＨの伝送に依存し、
第２のＰＵＣＣＨグループ内のＰＵＣＣＨおよびＰＵＳＣＨの伝送から独立する、
ステップと、
を含む、方法。
（項目２２）
無線デバイスは、アップリンク電力が限定されない、項目２１に記載の方法。
（項目２３）
上記サウンディングプロシージャは、１つまたはそれを上回るＳＲＳを伝送するための第１のプロシージャと、１つまたはそれを上回るＳＲＳの伝送をドロップするための第２のプロシージャとを含む、項目２１に記載の方法。
（項目２４） 
上記第２のＰＵＣＣＨグループの第２のセル上の第１のデータパケットと並行して、上記第１のＰＵＣＣＨグループの第１のセル上で第１のＳＲＳを伝送するステップと、
第２のデータパケットが、第２のＳＲＳの構成された伝送と並行して、上記第１のＰＵＣＣＨグループの第３のセル上で伝送されるとき、上記第１のセル上の第２のＳＲＳの構成された伝送をドロップするステップと、
をさらに含む、項目２１に記載の方法。
（項目２５） 
上記第２のＰＵＣＣＨセル上の第１のＰＵＣＣＨ信号と並行して、上記第１のＰＵＣＣＨグループの第１のセル上で第１のＳＲＳを伝送するステップと、
第２のＰＵＣＣＨ信号が、第２のＳＲＳの構成された伝送と並行して、上記第１のＰＵＣＣＨセル上で伝送されるとき、上記第１のセル上の第２のＳＲＳの構成された伝送をドロップするステップと、
をさらに含む、項目２１に記載の方法。
（項目２６）
上記少なくとも１つのメッセージは、ＳＲＳ帯域幅パラメータおよびＳＲＳサブフレーム構成パラメータを含む、ＳＲＳ構成パラメータを含む、項目２１に記載の方法。
（項目２７） 
上記少なくとも１つのメッセージ内のメッセージに応答して、ＳＲＳタイプ１伝送をトリガするステップと、
ダウンリンク物理チャネル上で伝送されるダウンリンク制御情報に応答して、ＳＲＳタイプ２伝送をトリガするステップと、
をさらに含む、項目２１に記載の方法。
（項目２８） 
方法であって、
複数の物理アップリンク制御チャネル（ＰＵＣＣＨ）グループにグループ化された複数のセルの構成パラメータを含む、少なくとも１つのメッセージを受信するステップと、
第２のＰＵＣＣＨグループの第２のセル上の第１のデータパケットと並行して、第１のＰＵＣＣＨグループの第１のセル上で第１のＳＲＳを伝送するステップと、
第２のデータパケットが、第２のＳＲＳの構成された伝送と並行して、上記第１のＰＵＣＣＨグループの第３のセル上で伝送されるとき、上記第１のセル上の第２のＳＲＳの構成された伝送をドロップするステップと、
を含む、方法。
（項目２９） 
上記第１のセルは、第１のＰＵＣＣＨセルである、または
上記第２のセルは、第２のＰＵＣＣＨセルである、項目２８に記載の方法。
（項目３０）
上記第１のＳＲＳと並行して、第２のＰＵＣＣＨセル上で第１のＰＵＣＣＨ信号を伝送するステップをさらに含む、項目２８に記載の方法。
（項目３１）
無線デバイスは、アップリンク電力が限定されない、項目２８に記載の方法。
（項目３２）
上記少なくとも１つのメッセージは、
ＳＲＳ帯域幅パラメータと、
ＳＲＳサブフレーム構成パラメータと、
を含む、ＳＲＳ構成パラメータを含む、項目２８に記載の方法。
（項目３３） 
上記少なくとも１つのメッセージ内のメッセージに応答して、ＳＲＳタイプ１伝送をトリガするステップと、
ダウンリンク物理チャネル上で伝送されるダウンリンク制御情報に応答して、ＳＲＳタイプ２伝送をトリガするステップと、
をさらに含む、項目２８に記載の方法。
（項目３４）
方法であって、
複数の物理アップリンク制御チャネル（ＰＵＣＣＨ）グループにグループ化された複数のセルの構成パラメータを含む、少なくとも１つのメッセージを受信するステップと、
第２のＰＵＣＣＨセル上の第１のＰＵＣＣＨ信号と並行して、第１のＰＵＣＣＨグループの第１のセル上で第１のＳＲＳを伝送するステップと、
第２のＰＵＣＣＨ信号が、第２のＳＲＳの構成された伝送と並行して、第１のＰＵＣＣＨセル上で伝送されるとき、上記第１のセル上の第２のＳＲＳの構成された伝送をドロップするステップと、
を含む、方法。
（項目３５）
上記第１のセルは、第１のＰＵＣＣＨセルと同一である、項目３４に記載の方法。
（項目３６）
上記第１のＳＲＳと並行して、第２のＰＵＣＣＨグループ上で第１のデータパケットを伝送するステップをさらに含む、項目３４に記載の方法。
（項目３７） 
上記第１のＰＵＣＣＨ信号および上記第２のＰＵＣＣＨ信号は、ＰＵＣＣＨフォーマット２／２ａ／２ｂであって、上記第１のＳＲＳおよび上記第２のＳＲＳは、タイプ０である、または
上記第１のＰＵＣＣＨ信号および上記第２のＰＵＣＣＨ信号は、ＨＡＲＱ−ＡＣＫ伝送を用いたＰＵＣＣＨフォーマット２ａ／２ｂであって、上記第１のＳＲＳおよび上記第２のＳＲＳは、タイプ１である、項目３４に記載の方法。
（項目３８）
無線デバイスは、アップリンク電力が限定されない、項目３４に記載の方法。
（項目３９）
上記少なくとも１つのメッセージは、
ＳＲＳ帯域幅パラメータと、
ＳＲＳサブフレーム構成パラメータと、
を含む、ＳＲＳ構成パラメータを含む、項目３４に記載の方法。
（項目４０） 
上記少なくとも１つのメッセージ内のメッセージに応答して、ＳＲＳタイプ１伝送をトリガするステップと、
ダウンリンク物理チャネル上で伝送されるダウンリンク制御情報に応答して、ＳＲＳタイプ２伝送をトリガするステップと、
をさらに含む、項目３４に記載の方法。
【図面の簡単な説明】
【０００３】
本発明の種々の実施形態のうちのいくつかの実施例が、図面を参照して本明細書に説明される。
【０００４】
【図１】図１は、本発明の実施形態のある側面による、ＯＦＤＭサブキャリアの例示的セットを描写する、略図である。
【０００５】
【図２】図２は、本発明の実施形態のある側面による、キャリアグループ内の２つのキャリアに関する例示的伝送時間および受信時間を描写する、略図である。
【０００６】
【図３】図３は、本発明の実施形態のある側面による、ＯＦＤＭ無線リソースを描写する、図である。
【０００７】
【図４】図４は、本発明の実施形態のある側面による、基地局および無線デバイスのブロック図である。
【０００８】
【図５】図５Ａ、図５Ｂ、図５Ｃ、および図５Ｄは、本発明の実施形態のある側面による、アップリンクおよびダウンリンク信号伝送に関する例示的略図である。
【０００９】
【図６】図６は、本発明の実施形態のある側面による、ＣＡおよびＤＣを用いたプロトコル構造に関する例示的略図である。
【００１０】
【図７】図７は、本発明の実施形態のある側面による、ＣＡおよびＤＣを用いたプロトコル構造に関する例示的略図である。
【００１１】
【図８】図８は、本発明の実施形態のある側面による、例示的ＴＡＧ構成を示す。
【００１２】
【図９】図９は、本発明の実施形態のある側面による、二次ＴＡＧ内のランダムアクセスプロセスにおける例示的メッセージフローである。
【００１３】
【図１０】図１０は、本発明の実施形態のある側面による、ＰＵＣＣＨグループへのセルの例示的グループ化である。
【００１４】
【図１１】図１１は、本発明の実施形態のある側面による、１つまたはそれを上回るＰＵＣＣＨグループおよび１つまたはそれを上回るＴＡＧグループへのセルの例示的グループ化を図示する。
【００１５】
【図１２】図１２は、本発明の実施形態のある側面による、１つまたはそれを上回るＰＵＣＣＨグループおよび１つまたはそれを上回るＴＡＧグループへのセルの例示的グループ化を図示する。
【００１６】
【図１３】図１３は、本発明の実施形態のある側面による、例示的ＭＡＣ  ＰＤＵである。
【００１７】
【図１４】図１４は、開示される実施形態のある側面による、例示的ＰＵＣＣＨグループおよびＳＲＳ伝送を示す。
【００１８】
【図１５】図１５は、開示される実施形態のある側面による、いくつかの例示的信号伝送シナリオを提供する表を提示する。
【００１９】
【図１６Ａ】図１６Ａ、図１６Ｂ、および図１６Ｃは、開示される実施形態のある側面による、いくつかの例示的構成パラメータを提供する表を提示する。
【図１６Ｂ】図１６Ａ、図１６Ｂ、および図１６Ｃは、開示される実施形態のある側面による、いくつかの例示的構成パラメータを提供する表を提示する。
【図１６Ｃ】図１６Ａ、図１６Ｂ、および図１６Ｃは、開示される実施形態のある側面による、いくつかの例示的構成パラメータを提供する表を提示する。
【００２０】
【図１７】図１７は、本発明の実施形態のある側面による、例示的フロー図である。
【００２１】
【図１８】図１８は、本発明の実施形態のある側面による、例示的フロー図である。
【００２２】
【図１９】図１９は、本発明の実施形態のある側面による、例示的フロー図である。
【発明を実施するための形態】
【００２３】
以下の略語は、本開示の全体を通して使用される。
ＡＳＩＣ    特定用途向け集積回路
ＢＰＳＫ    二位相偏移変調
ＣＡ    キャリアアグリゲーション
ＣＳＩ    チャネル状態情報
ＣＤＭＡ    符号分割多重アクセス
ＣＳＳ    共通検索空間
ＣＰＬＤ    複合プログラマブル論理デバイス
ＣＣ    コンポーネントキャリア
ＤＬ    ダウンリンク
ＤＣＩ    ダウンリンク制御情報
ＤＣ    デュアルコネクティビティ
ＥＰＣ    進化型パケットコア
Ｅ−ＵＴＲＡＮ    進化型ユニバーサル地上無線アクセスネットワーク
ＦＰＧＡ    フィールドプログラマブルゲートアレイ
ＦＤＤ    周波数分割多重化
ＨＤＬ    ハードウェア記述言語
ＨＡＲＱ    ハイブリッド自動反復要求
ＩＥ    情報要素
ＬＴＥ    ロング・ターム・エボリューション
ＭＣＧ    マスタセルグループ
ＭｅＮＢ    マスタ進化型ノードＢ
ＭＩＢ    マスタ情報ブロック
ＭＡＣ    媒体アクセス制御
ＭＡＣ    媒体アクセス制御
ＭＭＥ    モビリティ管理エンティティ
ＮＡＳ    非アクセス層
ＯＦＤＭ    直交周波数分割多重化
ＰＤＣＰ    パケットデータ収束プロトコル
ＰＤＵ    パケットデータユニット
ＰＨＹ    物理
ＰＤＣＣＨ    物理ダウンリンク制御チャネル
ＰＨＩＣＨ    物理ＨＡＲＱインジケータチャネル
ＰＵＣＣＨ    物理アップリンク制御チャネル
ＰＵＳＣＨ    物理アップリンク共有チャネル
ＰＣｅｌｌ    一次セル
ＰＣｅｌｌ    一次セル
ＰＣＣ    一次コンポーネントキャリア
ＰＳＣｅｌｌ    一次二次セル
ｐＴＡＧ    一次タイミングアドバンスグループ
ＱＡＭ    直交振幅変調
ＱＰＳＫ    直交位相偏移変調
ＲＢＧ    リソースブロックグループ
ＲＬＣ    無線リンク制御
ＲＲＣ    無線リソース制御
ＲＡ    ランダムアクセス
ＲＢ    リソースブロック
ＳＣＣ    二次コンポーネントキャリア
ＳＣｅｌｌ    二次セル
ＳＣｅｌｌ    二次セル
ＳＣＧ    二次セルグループ
ＳｅＮＢ    二次進化型ノードＢ
ｓＴＡＧ    二次タイミングアドバンスグループ
ＳＤＵ    サービスデータユニット
Ｓ−ＧＷ    サービングゲートウェイ
ＳＲＢ    信号伝達無線ベアラ
ＳＣ−ＯＦＤＭ    単一キャリア−ＯＦＤＭ
ＳＦＮ    システムフレーム数
ＳＩＢ    システム情報ブロック
ＴＡＩ    追跡エリア識別子
ＴＡＴ    時間整合タイマ
ＴＤＤ    時分割複信
ＴＤＭＡ    時分割多重アクセス
ＴＡ    タイミングアドバンス
ＴＡＧ    タイミングアドバンスグループ
ＴＢ    トランスポートブロック
ＵＬ    アップリンク
ＵＥ    ユーザ機器
ＶＨＤＬ    ＶＨＳＩＣハードウェア記述言語
【００２４】
本発明の例示的実施形態は、種々の物理層変調および伝送機構を使用して実装されてもよい。例示的伝送機構として、限定ではないが、ＣＤＭＡ、ＯＦＤＭ、ＴＤＭＡ、ウェーブレット技術、および／または同等物が挙げられ得る。ＴＤＭＡ／ＣＤＭＡおよびＯＦＤＭ／ＣＤＭＡ等のハイブリッド伝送機構もまた、採用されてもよい。種々の変調スキームが、物理層内の信号伝送のために適用されてもよい。変調スキームの実施例として、限定ではないが、位相、振幅、コード、これらの組み合わせ、および／または同等物が挙げられる。例示的無線伝送方法は、ＢＰＳＫ、ＱＰＳＫ、１６−ＱＡＭ、６４−ＱＡＭ、２５６−ＱＡＭ、および／または同等物を使用して、ＱＡＭを実装し得る。物理無線伝送は、伝送要件および無線条件に応じて、変調およびコーディングスキームを動的または半動的に変化させることによって強化され得る。
【００２５】
図１は、本発明の実施形態のある側面による、ＯＦＤＭサブキャリアの例示的セットを描写する、略図である。本実施例に図示されるように、略図内の矢印は、マルチキャリアＯＦＤＭシステム内のサブキャリアを描写し得る。ＯＦＤＭシステムは、ＯＦＤＭ技術、ＳＣ−ＯＦＤＭ技術、または同等物等の技術を使用してもよい。例えば、矢印１０１は、サブキャリア伝送情報シンボルを示す。図１は、例証目的のためのものであって、典型的マルチキャリアＯＦＤＭシステムは、キャリア内により多くのサブキャリアを含んでもよい。例えば、キャリア内のサブキャリアの数は、１０〜１０，０００サブキャリアの範囲内であってもよい。図１は、伝送バンド内の２つのガードバンド１０６および１０７を示す。図１に図示されるように、ガードバンド１０６は、サブキャリア１０３とサブキャリア１０４との間にある。サブキャリアＡ１０２の例示的セットは、サブキャリア１０３と、サブキャリア１０４とを含む。図１はまた、サブキャリアＢ１０５の例示的セットを図示する。図示されるように、サブキャリアＢ１０５の例示的セット内には、任意の２つのサブキャリアの間にガードバンドが存在しない。マルチキャリアＯＦＤＭ通信システム内のキャリアは、連続的キャリア、非連続的キャリア、または連続的および非連続的キャリア両方の組み合わせであってもよい。
【００２６】
図２は、本発明の実施形態のある側面による、２つのキャリアに関する例示的伝送時間および受信時間を描写する、略図である。マルチキャリアＯＦＤＭ通信システムは、例えば、１〜１０キャリアに及ぶ、１つまたはそれを上回るキャリアを含んでもよい。キャリアＡ２０４およびキャリアＢ２０５は、同一または異なるタイミング構造を有してもよい。図２は、２つの同期されたキャリアを示すが、キャリアＡ２０４およびキャリアＢ２０５は、相互に同期されてもよい、またはそうではなくてもよい。異なる無線フレーム構造は、ＦＤＤおよびＴＤＤ複信機構のためにサポートされてもよい。図２は、例示的ＦＤＤフレームタイミングを示す。ダウンリンクおよびアップリンク伝送は、無線フレーム２０１の中に編成されてもよい。本実施例では、無線フレーム持続時間は、１０ミリ秒である。他のフレーム持続時間、例えば、１〜１００ミリ秒の範囲内もまた、サポートされてもよい。本実施例では、各１０ミリ秒無線フレーム２０１は、１０の等サイズのサブフレーム２０２に分割されてもよい。０．５ミリ秒、１ミリ秒、２ミリ秒、および５ミリ秒を含む、他のサブフレーム持続時間もまた、サポートされてもよい。サブフレームは、２つまたはそれを上回るスロット（例えば、スロット２０６および２０７）から成ってもよい。ＦＤＤの実施例に関して、１０のサブフレームが、各１０ミリ秒間隔において、ダウンリンク伝送のために利用可能であってもよく、１０のサブフレームが、アップリンク伝送のために利用可能であってもよい。アップリンクおよびダウンリンク伝送は、周波数ドメイン内で分離されてもよい。スロットは、複数のＯＦＤＭシンボル２０３を含んでもよい。スロット２０６内のＯＦＤＭシンボル２０３の数は、サイクリックプレフィックス長およびサブキャリア間隔に依存し得る。
【００２７】
図３は、本発明の実施形態のある側面による、ＯＦＤＭ無線リソースを描写する、略図である。時間３０４および周波数３０５内のリソースグリッド構造が、図３に図示される。ダウンリンクサブキャリアまたはＲＢの数量（本実施例では、６〜１００ＲＢ）は、少なくとも部分的に、セル内で構成されたダウンリンク伝送帯域幅３０６に依存し得る。最小無線リソースユニットは、リソース要素（例えば、３０１）と呼ばれ得る。リソース要素は、リソースブロック（例えば、３０２）にグループ化されてもよい。リソースブロックは、リソースブロックグループ（ＲＢＧ）（例えば、３０３）と呼ばれるより大きい無線リソースにグループ化されてもよい。スロット２０６内で伝送される信号は、複数のサブキャリアおよび複数のＯＦＤＭシンボルの１つまたはいくつかのリソースグリッドによって記述され得る。リソースブロックは、リソース要素へのある物理チャネルのマッピングを記述するために使用されてもよい。物理リソース要素の他の事前に定義されたグループ化も、無線技術に応じて、システム内に実装されてもよい。例えば、２４のサブキャリアが、５ミリ秒の持続時間の間、無線ブロックとしてグループ化されてもよい。例証的実施例では、リソースブロックは、時間ドメイン内の１つのスロットおよび周波数ドメイン内の１８０ｋＨｚに対応し得る（１５ＫＨｚサブキャリア帯域幅および１２のサブキャリアに関して）。
【００２８】
図５Ａ、図５Ｂ、図５Ｃ、および図５Ｄは、本発明の実施形態のある側面による、アップリンクおよびダウンリンク信号伝送のための例示的略図である。図５Ａは、例示的アップリンク物理チャネルを示す。物理アップリンク共有チャネルを表すベースバンド信号は、以下のプロセスを行い得る。これらの機能は、実施例として図示され、種々の実施形態では、他の機構が実装されてもよいことが予期される。そのような機能として、スクランブリング、複素数値シンボルを生成するためのスクランブリングされたビットの変調、１つまたはいくつかの伝送層上への複素数値変調シンボルのマッピング、複素数値シンボルを生成するための変換プリコーディング、複素数値シンボルのプリコーディング、リソース要素へのプリコーディングされた複素数値シンボルのマッピング、アンテナポート毎の複素数値時間ドメインＳＣ−ＦＤＭＡ信号の生成、および／または同等物が挙げられ得る。
【００２９】
アンテナポート毎の複素数値ＳＣ−ＦＤＭＡベースバンド信号および／または複素数値ＰＲＡＣＨベースバンド信号のキャリア周波数への例示的変調および上方変換は、図５Ｂに示される。フィルタリングが、伝送に先立って採用されてもよい。
【００３０】
ダウンリンク伝送のための例示的構造は、図５Ｃに示される。ダウンリンク物理チャネルを表すベースバンド信号は、以下のプロセスを行い得る。これらの機能は、実施例として図示され、種々の実施形態では、他の機構が実装されてもよいことが予期される。そのような機能として、物理チャネル上で伝送されるべきコードワードのそれぞれ内のコード化されたビットのスクランブリング、複素数値変調シンボルを生成するためのスクランブリングされたビットの変調、１つまたはいくつかの伝送層上への複素数値変調シンボルのマッピング、アンテナポート上での伝送のための各層上での複素数値変調シンボルのプリコーディング、リソース要素へのアンテナポート毎の複素数値変調シンボルのマッピング、アンテナポート毎の複素数値時間ドメインＯＦＤＭ信号の生成、および／または同等物が挙げられる。
【００３１】
アンテナポート毎の複素数値ＯＦＤＭベースバンド信号のキャリア周波数への例示的変調および上方変換は、図５Ｄに示される。フィルタリングが、伝送に先立って採用されてもよい。
【００３２】
図４は、本発明の実施形態のある側面による、基地局４０１および無線デバイス４０６の例示的ブロック図である。通信ネットワーク４００は、少なくとも１つの基地局４０１と、少なくとも１つの無線デバイス４０６とを含んでもよい。基地局４０１は、少なくとも１つの通信インターフェース４０２と、少なくとも１つのプロセッサ４０３と、非一過性メモリ４０４内に記憶され、少なくとも１つのプロセッサ４０３によって実行可能な少なくとも１セットのプログラムコード命令４０５とを含んでもよい。無線デバイス４０６は、少なくとも１つの通信インターフェース４０７と、少なくとも１つのプロセッサ４０８と、非一過性メモリ４０９内に記憶され、少なくとも１つのプロセッサ４０８によって実行可能な少なくとも１セットのプログラムコード命令４１０とを含んでもよい。基地局４０１内の通信インターフェース４０２は、少なくとも１つの無線リンク４１１を含む、通信経路を介して、無線デバイス４０６内の通信インターフェース４０７との通信に従事するように構成されてもよい。無線リンク４１１は、双方向リンクであってもよい。無線デバイス４０６内の通信インターフェース４０７はまた、基地局４０１内の通信インターフェース４０２との通信に従事するように構成されてもよい。基地局４０１および無線デバイス４０６は複数の周波数キャリアを使用して、無線リンク４１１を経由して、データを送受信するように構成されてもよい。実施形態の種々の側面のうちのいくつかによると、送受信機が、採用されてもよい。送受信機は、送信機および受信機の両方を含む、デバイスである。送受信機は、無線デバイス、基地局、中継ノード、および／または同等物等のデバイス内で採用されてもよい。通信インターフェース４０２、４０７および無線リンク４１１内で実装される無線技術のための例示的実施形態は、図１、図２、図３、図５、および関連付けられた文書に図示される。
【００３３】
インターフェースは、ハードウェアインターフェース、ファームウェアインターフェース、ソフトウェアインターフェース、および／またはそれらの組み合わせであってもよい。ハードウェアインターフェースは、コネクタ、ワイヤ、ドライバ等の電子デバイス、増幅器、および／または同等物を含んでもよい。ソフトウェアインターフェースは、メモリデバイス内に記憶され、プロトコル、プロトコル層、通信ドライバ、デバイスドライバ、それらの組み合わせ、および／または同等物を実装する、コードを含んでもよい。ファームウェアインターフェースは、埋設されるハードウェアと、メモリデバイス内に記憶され、および／またはそれと通信し、接続、電子デバイス動作、プロトコル、プロトコル層、通信ドライバ、デバイスドライバ、ハードウェア動作、それらの組み合わせ、および／または同等物を実装する、コードの組み合わせを含んでもよい。
【００３４】
用語「構成される」とは、デバイスが動作または非動作状態にあるかどうかにかかわらず、デバイスの能力に関し得る。「構成される」はまた、デバイスが動作または非動作状態にあるかどうかにかかわらず、デバイスの動作特性をもたらす、デバイス内の具体的設定を指し得る。言い換えると、ハードウェア、ソフトウェア、ファームウェア、レジスタ、メモリ値、および／または同等物は、デバイスが動作または非動作状態にあるかどうかにかかわらず、デバイスに具体的特性を提供するようにデバイス内で「構成」され得る。「デバイス内で生じさせるための制御メッセージ」等の用語は、制御メッセージが、デバイスが動作または非動作状態にあるかどうかにかかわらず、デバイス内の具体的特性を構成するために使用され得る、パラメータを有することを意味し得る。
【００３５】
実施形態の種々の側面のうちのいくつかによると、ＬＴＥネットワークは、多数の基地局を含み、ユーザプレーンＰＤＣＰ／ＲＬＣ／ＭＡＣ／ＰＨＹおよび制御プレーン（ＲＲＣ）プロトコル終端を無線デバイスに向かって提供してもよい。基地局は、他の基地局と相互接続されてもよい（例えば、Ｘ２インターフェースを採用する）。基地局はまた、例えば、ＥＰＣへのＳ１インターフェースを採用して接続されてもよい。例えば、基地局は、Ｓ１−ＭＭＥインターフェースを採用してＭＭＥと、Ｓ１−Ｕインターフェースを採用してＳ−Ｇとに相互接続されてもよい。Ｓ１インターフェースは、ＭＭＥ／サービングゲートウェイと基地局との間の多対多関係をサポートしてもよい。基地局は、多くのセクタ、例えば、１、２、３、４、または６つのセクタを含んでもよい。基地局は、多くのセル、例えば、１〜５０セルまたはそれを上回って含んでもよい。セルは、例えば、一次セルまたは二次セルとしてカテゴリ化されてもよい。ＲＲＣ接続確立／再確立／ハンドオーバでは、１つのサービングセルが、ＮＡＳ（非アクセス層）モビリティ情報（例えば、ＴＡＩ）を提供してもよく、ＲＲＣ接続再確立／ハンドオーバでは、１つのサービングセルが、セキュリティ入力を提供してもよい。本セルは、一次セル（ＰＣｅｌｌ）と称され得る。ダウンリンクでは、ＰＣｅｌｌに対応するキャリアは、ダウンリンク一次コンポーネントキャリア（ＤＬＰＣＣ）であり得る一方、アップリンクでは、アップリンク一次コンポーネントキャリア（ＵＬＰＣＣ）であり得る。無線デバイス能力に応じて、二次セル（ＳＣｅｌｌ）が、ＰＣｅｌｌのセットサービングセルとともに形成されるように構成されてもよい。ダウンリンクでは、ＳＣｅｌｌに対応するキャリアは、ダウンリンク二次コンポーネントキャリア（ＤＬ  ＳＣＣ）であり得る一方、アップリンクでは、アップリンク二次コンポーネントキャリア（ＵＬ  ＳＣＣ）であり得る。ＳＣｅｌｌは、アップリンクキャリアを有してもよい、またはそうではなくてもよい。
【００３６】
ダウンリンクキャリアと、随意に、アップリンクキャリアとを含む、セルは、物理セルＩＤおよびセルインデックスが割り当てられてもよい。キャリア（ダウンリンクまたはアップリンク）は、１つのみのセルに属してもよい。セルＩＤまたはセルインデックスはまた、セルのダウンリンクキャリアまたはアップリンクキャリアを識別し得る（それが使用される状況に応じて）。本明細書では、セルＩＤは、キャリアＩＤとも称され得、セルインデックスは、キャリアインデックスと称され得る。実装では、物理セルＩＤまたはセルインデックスは、セルが割り当てられてもよい。セルＩＤは、ダウンリンクキャリア上で伝送される同期信号を使用して、判定されてもよい。セルインデックスは、ＲＲＣメッセージを使用して、判定されてもよい。例えば、本明細書が、第１のダウンリンクキャリアに関する第１の物理セルＩＤを指すとき、本明細書は、第１の物理セルＩＤが第１のダウンリンクキャリアを含むセルに関するものであることを意味し得る。同一概念は、例えば、キャリアアクティブ化にも適用され得る。本明細書が、第１のキャリアがアクティブ化されることを示すとき、本明細書は、第１のキャリアを含むセルがアクティブ化されることも意味し得る。
【００３７】
実施形態は、必要に応じて、動作するように構成されてもよい。開示される機構は、ある基準が、例えば、無線デバイス、基地局、無線環境、ネットワーク、前述の組み合わせ、および／または同等物内で満たされるときに行われてもよい。例示的基準は、少なくとも部分的に、例えば、トラフィック負荷、初期システム設定、パケットサイズ、トラフィック特性、前述の組み合わせ、および／または同等物に基づいてもよい。１つまたはそれを上回る基準が満たされると、種々の例示的実施形態が、適用されてもよい。したがって、開示されるプロトコルを選択的に実装する例示的実施形態を実装することが可能であり得る。
【００３８】
基地局が、無線デバイスの混合と通信し得る。無線デバイスは、複数の技術および／または同一技術の複数のリリースをサポートしてもよい。無線デバイスは、その無線デバイスカテゴリおよび／または能力に応じて、いくつかの具体的能力を有してもよい。基地局は、複数のセクタを含んでもよい。本開示が、複数の無線デバイスと通信する基地局を指すとき、本開示は、サービスエリア内の総無線デバイスのサブセットを指し得る。本開示は、例えば、所与の能力を伴い、基地局の所与のセクタ内にある、所与のＬＴＥリリースの複数の無線デバイスを指し得る。本開示における複数の無線デバイスは、選択された複数の無線デバイス、および／または開示される方法に従って機能する、サービスエリア内の総無線デバイスのサブセット、および／または同等物を指し得る。サービスエリア内には、例えば、それらの無線デバイスがＬＴＥ技術のより古いリリースに基づいて機能するため、開示される方法に準拠し得ない、複数の無線デバイスが存在し得る。
【００３９】
図６および図７は、本発明の実施形態のある側面による、ＣＡおよびＤＣを用いたプロトコル構造のための例示的略図である。Ｅ−ＵＴＲＡＮは、デュアルコネクティビティ（ＤＣ）動作をサポートしてもよく、それによって、ＲＲＣ＿ＣＯＮＮＥＣＴＥＤ内の複数のＲＸ／ＴＸ  ＵＥは、Ｘ２インターフェースを経由して非理想的バックホールを介して接続される２つのｅＮＢ内に位置する２つのスケジューラによって提供される、無線リソースを利用するように構成され得る。あるＵＥのためのＤＣに関わるｅＮＢは、２つの異なる役割をし得る。すなわち、ｅＮＢは、ＭｅＮＢまたはＳｅＮＢのいずれかとして作用し得る。ＤＣでは、ＵＥは、１つのＭｅＮＢおよび１つのＳｅＮＢに接続されてもよい。ＤＣにおいて実装される機構は、２つを上回るｅＮＢを網羅するように拡張されてもよい。図７は、マスタセルグループ（ＭＣＧ）および二次セルグループ（ＳＣＧ）が構成されるときのＵＥ側ＭＡＣエンティティのための一例示的構造を図示し、これは、実装を制限し得ない。媒体ブロードキャストマルチキャストサービス（ＭＢＭＳ）受信は、便宜上、本図には示されない。
【００４０】
ＤＣでは、特定のベアラが使用する、無線プロトコルアーキテクチャは、ベアラが設定される方法に依存し得る。図６に示されるように、ＭＣＧベアラ、ＳＣＧベアラ、および分割ベアラの３つの代替が、存在し得る。ＲＲＣは、ＭｅＮＢ内に位置してもよく、ＳＲＢは、ＭＣＧベアラタイプとして構成されてもよく、ＭｅＮＢの無線リソースを使用してもよい。ＤＣはまた、ＳｅＮＢによって提供される無線リソースを使用するように構成される少なくとも１つのベアラを有するように説明され得る。ＤＣは、本発明の例示的実施形態において構成／実装されてもよい、またはそうではなくてもよい。
【００４１】
ＤＣの場合、ＵＥは、２つのＭＡＣエンティティ、すなわち、ＭｅＮＢのための１つのＭＡＣエンティティと、ＳｅＮＢのための１つのＭＡＣエンティティとを用いて構成されてもよい。ＤＣでは、ＵＥのためのサービングセルの構成されたセットは、２つのサブセット、すなわち、ＭｅＮＢのサービングセルを含有するマスタセルグループ（ＭＣＧ）と、ＳｅＮＢのサービングセルを含有する二次セルグループ（ＳＣＧ）とを含んでもよい。ＳＣＧに関して、以下のうちの１つまたはそれを上回るものが当てはまり得る。すなわち、ＳＣＧ内の少なくとも１つのセルは、構成されたＵＬ  ＣＣを有し、ＰＳＣｅｌｌと称される（またはＳＣＧのＰＣｅｌｌもしくはＰＣｅｌｌとも呼ばれる）、それらのうちの１つは、ＰＵＣＣＨリソースを用いて構成される。ＳＣＧが構成されると、少なくとも１つのＳＣＧベアラまたは１つの分割ベアラが、存在し得る。ＰＳＣｅｌｌ上の物理層問題もしくはランダムアクセス問題の検出に応じて、またはＳＣＧと関連付けられたＲＬＣ再伝送の最大数に達すると、またはＳＣＧ追加またはＳＣＧ変更の間のＰＳＣｅｌｌ上のアクセス問題の検出に応じて、ＲＲＣ接続再確立プロシージャは、トリガされない場合があり、ＳＣＧのセルに向かうＵＬ伝送は、停止され、ＭｅＮＢは、ＵＥによってＳＣＧ障害タイプが知らされ得、分割ベアラに関しては、ＭｅＮＢを経由したＤＬデータ転送が維持される。ＲＬＣ  ＡＭベアラは、分割ベアラのために構成されてもよい。ＰＣｅｌｌのように、ＰＳＣｅｌｌは、非アクティブ化されない場合がある。ＰＳＣｅｌｌは、ＳＣＧ変更に伴って（例えば、セキュリティキー変更およびＲＡＣＨプロシージャに伴って）変更され得、および／または分割ベアラとＳＣＧベアラとの間の直接ベアラタイプ変更もしくはＳＣＧおよび分割ベアラの同時構成のいずれも、サポートされない。
【００４２】
ＭｅＮＢとＳｅＮＢとの間の相互作用に関して、以下の原理のうちの１つまたはそれを上回るものが、当てはまり得る。すなわち、ＭｅＮＢは、ＵＥのＲＲＭ測定構成を維持し得、（例えば、受信された測定報告またはトラフィック条件またはベアラタイプに基づいて）ＳｅＮＢに、ＵＥのための付加的リソース（サービングセル）を提供するように求めることを決定し得る。ＭｅＮＢからの要求の受信に応じて、ＳｅＮＢは、ＵＥのための付加的サービングセルの構成をもたらし得る、コンテナを作成し得る（またはそのために利用可能なリソースを有していないことを決定する）。ＵＥ能力協調に関して、ＭｅＮＢは、ＡＳ構成およびＵＥ能力（その一部）をＳｅＮＢに提供し得る。ＭｅＮＢおよびＳｅＮＢは、Ｘ２メッセージ内で搬送されるＲＲＣコンテナ（ノード間メッセージ）を採用することによって、ＵＥ構成についての情報を交換し得る。ＳｅＮＢは、その既存のサービングセル（例えば、ＳｅＮＢに向かうＰＵＣＣＨ）の再構成を開始し得る。ＳｅＮＢは、どのセルがＳＣＧ内のＰＳＣｅｌｌかを決定し得る。ＭｅＮＢは、ＳｅＮＢによって提供されるＲＲＣ構成のコンテンツを変更し得る。ＳＣＧ追加およびＳＣＧ  ＳＣｅｌｌ追加の場合、ＭｅＮＢは、ＳＣＧセルのための最新測定結果を提供し得る。ＭｅＮＢおよびＳｅＮＢは両方とも、ＯＡＭによって相互のＳＦＮおよびサブフレームオフセットを把握し得る（例えば、測定ギャップのＤＲＸ整合および識別の目的のために）。実施例では、新しいＳＣＧ  ＳＣｅｌｌを追加するとき、専用ＲＲＣ信号伝達が、ＳＣＧのＰＳＣｅｌｌのＭＩＢから取得されたＳＦＮを除き、ＣＡに関するセルの要求されるシステム情報を送信するために使用され得る。
【００４３】
実施形態の種々の側面のうちのいくつかによると、同一時間整合（ＴＡ）が適用されるアップリンクを有する、サービングセルは、ＴＡグループ（ＴＡＧ）内でグループ化されてもよい。１つのＴＡＧ内のサービングセルは、同一タイミング基準を使用してもよい。所与のＴＡＧに関して、ユーザ機器（ＵＥ）は、所与の時間におけるタイミング基準として、１つのダウンリンクキャリアを使用してもよい。ＵＥは、ＴＡＧのためのタイミング基準として、そのＴＡＧ内でダウンリンクキャリアを使用してもよい。所与のＴＡＧに関して、ＵＥは、同一ＴＡＧに属するアップリンクキャリアのアップリンクサブフレームおよびフレーム伝送タイミングを同期させてもよい。実施形態の種々の側面のうちのいくつかによると、同一ＴＡが適用されるアップリンクを有する、サービングセルは、同一受信機によってホストされるサービングセルに対応し得る。ＴＡグループは、アップリンクが構成された少なくとも１つのサービングセルを含んでもよい。複数のＴＡをサポートするＵＥは、２つまたはそれを上回るＴＡグループをサポートしてもよい。１つのＴＡグループは、ＰＣｅｌｌを含有してもよく、一次ＴＡＧ（ｐＴＡＧ）と呼ばれ得る。複数のＴＡＧ構成では、少なくとも１つのＴＡグループは、ＰＣｅｌｌを含有しなくてもよく、二次ＴＡＧ（ｓＴＡＧ）と呼ばれ得る。同一ＴＡグループ内のキャリアは、同一ＴＡ値および同一タイミング基準を使用してもよい。ＤＣが構成されると、セルグループ（ＭＣＧまたはＳＣＧ）に属するセルは、ｐＴＡＧおよび１つまたはそれを上回るｓＴＡＧを含む、複数のＴＡＧにグループ化されてもよい。
【００４４】
図８は、本発明の実施形態のある側面による、例示的ＴＡＧ構成を示す。実施例１では、ｐＴＡＧは、ＰＣｅｌｌを含み、ｓＴＡＧは、ＳＣｅｌｌ１を含む。実施例２では、ｐＴＡＧは、ＰＣｅｌｌおよびＳＣｅｌｌ１を含み、ｓＴＡＧは、ＳＣｅｌｌ２およびＳＣｅｌｌ３を含む。実施例３では、ｐＴＡＧは、ＰＣｅｌｌおよびＳＣｅｌｌ１を含み、ｓＴＡＧ１は、ＳＣｅｌｌ２およびＳＣｅｌｌ３を含み、ｓＴＡＧ２は、ＳＣｅｌｌ４を含む。最大４つのＴＡＧが、セルグループ（ＭＣＧまたはＳＣＧ）内でサポートされてもよく、他の例示的ＴＡＧ構成もまた、提供されてもよい。本開示における種々の実施例では、例示的機構は、ｐＴＡＧおよびｓＴＡＧに関して説明される。一例示的ｓＴＡＧに伴う動作が、説明され、同一動作は、他のｓＴＡＧにも適用可能であり得る。例示的機構は、複数のｓＴＡＧを伴う構成に適用されてもよい。
【００４５】
実施形態の種々の側面のうちのいくつかによると、ＴＡ維持、経路損失基準ハンドリング、およびｐＴＡＧのためのタイミング基準は、ＭＣＧおよび／またはＳＣＧ内では、ＬＴＥリリース１０原理に従い得る。ＵＥは、ダウンリンク経路損失を測定し、アップリンク伝送電力を計算する必要があり得る。経路損失基準は、アップリンク電力制御および／またはランダムアクセスプリアンブルの伝送のために使用されてもよい。ＵＥは、経路損失基準セル上で受信された信号を使用して、ダウンリンク経路損失を測定してもよい。ｐＴＡＧ内のＳＣｅｌｌに関して、セルに関する経路損失基準の選択肢は、以下の２つのオプションから選択される、および／またはそれに限定されてもよい。ａ）システム情報ブロック２（ＳＩＢ２）を使用して、アップリンクＳＣｅｌｌにリンクされたダウンリンクＳＣｅｌｌ、およびｂ）ダウンリンクｐＣｅｌｌ。ｐＴＡＧ内のＳＣｅｌｌに関する経路損失基準は、ＳＣｅｌｌ初期構成および／または再構成の一部として、ＲＲＣメッセージを使用して構成可能であり得る。実施形態の種々の側面のうちのいくつかによると、ＳＣｅｌｌ構成のＰｈｙｓｉｃａｌＣｏｎｆｉｇＤｅｄｉｃａｔｅｄＳＣｅｌｌ情報要素（ＩＥ）は、ｐＴＡＧ内のＳＣｅｌｌに関する経路損失基準ＳＣｅｌｌ（ダウンリンクキャリア）を含んでもよい。システム情報ブロック２（ＳＩＢ２）を使用してアップリンクＳＣｅｌｌにリンクされたダウンリンクＳＣｅｌｌは、ＳＣｅｌｌのＳＩＢ２リンクダウンリンクと称され得る。異なるＴＡＧは、異なるバンド内で動作し得る。ｓＴＡＧ内のアップリンクキャリアに関して、経路損失基準は、ＳＣｅｌｌのシステム情報ブロック２（ＳＩＢ２）を使用してアップリンクＳＣｅｌｌにリンクされたダウンリンクＳＣｅｌｌにのみ構成可能であり得る。
【００４６】
ｓＴＡＧのための初期アップリンク（ＵＬ）時間整合を得るために、ｅＮＢは、ＲＡプロシージャを開始してもよい。ｓＴＡＧでは、ＵＥは、タイミング基準セルとして、本ｓＴＡＧから任意のアクティブ化されたＳＣｅｌｌのうちの１つを使用してもよい。例示的実施形態では、ｓＴＡＧ内のＳＣｅｌｌに関するタイミング基準は、最新ＲＡプロシージャに関するプリアンブルが送信されたＳＣｅｌｌのＳＩＢ２リンクダウンリンクであってもよい。ＴＡグループあたり、１つのタイミング基準と、１つの時間整合タイマ（ＴＡＴ）とが存在してもよい。ＴＡＧのためのＴＡＴは、異なる値を用いて構成されてもよい。ＭＡＣエンティティでは、ｐＴＡＧと関連付けられたＴＡＴが満了すると、全ＴＡＴが、満了したと見なされてもよく、ＵＥは、サービングセルのＨＡＲＱバッファをフラッシュしてもよく、ＵＥは、任意の構成されたダウンリンク割当／アップリンクグラントをクリアしてもよく、ＵＥ内のＲＲＣは、全構成されたサービングセルに関するＰＵＣＣＨ／ＳＲＳを解放してもよい。ｐＴＡＧ  ＴＡＴが起動中ではないとき、ｓＴＡＧ  ＴＡＴも、起動中ではなくてもよい。ｓＴＡＧと関連付けられたＴＡＴが満了すると、ａ）ＳＲＳ伝送は、対応するＳＣｅｌｌ上で停止されてもよく、ｂ）ＳＲＳ  ＲＲＣ構成は、解放されてもよく、ｃ）対応するＳＣｅｌｌに関するＣＳＩ報告構成は、維持されてもよく、および／またはｄ）ＵＥ内のＭＡＣは、対応するＳＣｅｌｌのアップリンクＨＡＲＱバッファをフラッシュしてもよい。
【００４７】
ｅＮＢは、アクティブ化されるＳＣｅｌｌに関するＰＤＣＣＨ順序を介して、ＲＡプロシージャを開始してもよい。本ＰＤＣＣＨ順序は、本ＳＣｅｌｌのスケジューリングセル上で送信されてもよい。クロスキャリアスケジューリングがセルのために構成されるとき、スケジューリングセルは、プリアンブル伝送のために採用されるセルと異なってもよく、ＰＤＣＣＨ順序は、ＳＣｅｌｌインデックスを含んでもよい。少なくとも非競合ベースのＲＡプロシージャが、ｓＴＡＧに割り当てられるＳＣｅｌｌのためにサポートされてもよい。
【００４８】
図９は、本発明の実施形態のある側面による、二次ＴＡＧ内のランダムアクセスプロセスにおける例示的メッセージフローである。ｅＮＢは、アクティブ化コマンド６００を伝送し、ＳＣｅｌｌをアクティブ化する。プリアンブル６０２（Ｍｓｇ１）が、ｓＴＡＧに属するＳＣｅｌｌ上のＰＤＣＣＨ順序６０１に応答して、ＵＥによって送信されてもよい。例示的実施形態では、ＳＣｅｌｌに関するプリアンブル伝送は、ＰＤＣＣＨフォーマット１Ａを使用して、ネットワークによって制御されてもよい。ＳＣｅｌｌ上のプリアンブル伝送に応答したＭｓｇ２メッセージ６０３（ＲＡＲ：ランダムアクセス応答）は、ＰＣｅｌｌ共通検索空間（ＣＳＳ）内のＲＡ−ＲＮＴＩにアドレス指定されてもよい。アップリンクパケット６０４は、プリアンブルが伝送されたＳＣｅｌｌ上で伝送されてもよい。
【００４９】
実施形態の種々の側面のうちのいくつかによると、初期タイミング整合は、ランダムアクセスプロシージャを通して達成されてもよい。これは、ＵＥがランダムアクセスプリアンブルを伝送し、ｅＮＢがランダムアクセス応答ウィンドウ内で初期ＴＡコマンドＮＴＡ（タイミングアドバンスの量）に応答することを伴い得る。ランダムアクセスプリアンブルの開始は、ＮＴＡ＝０をとるＵＥでは、対応するアップリンクサブフレームの開始と整合され得る。ｅＮＢは、ＵＥによって伝送されるランダムアクセスプリアンブルからアップリンクタイミングを推定してもよい。ＴＡコマンドは、所望のＵＬタイミングと実際のＵＬタイミングとの間の差異の推定に基づいて、ｅＮＢによって導出されてもよい。ＵＥは、プリアンブルが伝送されるｓＴＡＧの対応するダウンリンクに対して初期アップリンク伝送タイミングを判定してもよい。
【００５０】
ＴＡＧへのサービングセルのマッピングは、サービングｅＮＢによって、ＲＲＣ信号伝達を用いて構成されてもよい。ＴＡＧ構成および再構成のための機構は、ＲＲＣ信号伝達に基づいてもよい。実施形態の種々の側面のうちのいくつかによると、ｅＮＢがＳＣｅｌｌ追加構成を行うとき、関連ＴＡＧ構成が、ＳＣｅｌｌのために構成されてもよい。例示的実施形態では、ｅＮＢは、ＳＣｅｌｌを除去（解放）し、更新されたＴＡＧ  ＩＤを用いて新しいＳＣｅｌｌを追加（構成）する（同一物理セルＩＤおよび周波数を用いて）ことによって、ＳＣｅｌｌのＴＡＧ構成を修正してもよい。更新されたＴＡＧ  ＩＤを伴う新しいＳＣｅｌｌは、最初に、更新されたＴＡＧ  ＩＤが割り当てられた後、非アクティブであってもよい。ｅＮＢは、更新された新しいＳＣｅｌｌをアクティブ化し、アクティブ化されたＳＣｅｌｌ上でスケジューリングパケットを始動させてもよい。例示的実装では、ＳＣｅｌｌと関連付けられたＴＡＧを変更することは可能ではない場合があり、むしろ、ＳＣｅｌｌは、除去される必要があり得、新しいＳＣｅｌｌが、別のＴＡＧと追加される必要があり得る。例えば、ＳＣｅｌｌをｓＴＡＧからｐＴＡＧに移動させる必要がある場合、少なくとも１つのＲＲＣメッセージ、例えば、少なくとも１つのＲＲＣ再構成メッセージが、ＵＥに送信され、ＳＣｅｌｌを解放することによって、ＴＡＧ構成を再構成し、次いで、ＳＣｅｌｌをｐＴＡＧの一部として構成してもよい（ＳＣｅｌｌが、ＴＡＧインデックスを伴わずに追加／構成されるとき、ＳＣｅｌｌは、ｐＴＡＧに明示的に割り当てられてもよい）。ＰＣｅｌｌは、そのＴＡグループを変更し得ず、常時、ｐＴＡＧのメンバであり得る。
【００５１】
ＲＲＣ接続再構成プロシージャの目的は、ＲＲＣ接続を修正する（例えば、ＲＢを確立、修正、および／または解放する、ハンドオーバを行う、測定を設定、修正、および／または解放する、ＳＣｅｌｌを追加、修正、および／または解放する）ことであり得る。受信されたＲＲＣ接続再構成メッセージが、ｓＣｅｌｌＴｏＲｅｌｅａｓｅＬｉｓｔを含む場合、ＵＥは、ＳＣｅｌｌ解放を行ってもよい。受信されたＲＲＣ接続再構成メッセージが、ｓＣｅｌｌＴｏＡｄｄＭｏｄＬｉｓｔを含む場合、ＵＥは、ＳＣｅｌｌ追加または修正を行ってもよい。
【００５２】
ＬＴＥリリース−１０およびリリース−１１ＣＡでは、ＰＵＣＣＨは、ＰＣｅｌｌ（ＰＳＣｅｌｌ）上のみｅＮＢに伝送される。ＬＴＥ−リリース１２およびそれ以前では、ＵＥは、ＰＵＣＣＨ情報を１つのセル（ＰＣｅｌｌまたはＰＳＣｅｌｌ）上で所与のｅＮＢに伝送し得る。
【００５３】
ＣＡ対応ＵＥの数、また、アグリゲーションされたキャリアの数が増加するにつれて、ＰＵＣＣＨの数、また、ＰＵＣＣＨペイロードサイズも、増加し得る。ＰＣｅｌｌ上のＰＵＣＣＨ伝送への対応は、ＰＣｅｌｌ上の高ＰＵＣＣＨ負荷につながり得る。ＳＣｅｌｌ上のＰＵＣＣＨは、ＰＵＣＣＨリソースをＰＣｅｌｌからオフロードするために導入されてもよい。１つを上回るＰＵＣＣＨ、例えば、ＰＣｅｌｌ上のＰＵＣＣＨおよびＳＣｅｌｌ上の別のＰＵＣＣＨが、構成されてもよい。図１０は、本発明の実施形態のある側面による、ＰＵＣＣＨグループへのセルの例示的グループ化である。例示的実施形態では、１つ、２つ、またはそれを上回るセルが、ＣＳＩ／ＡＣＫ／ＮＡＣＫを基地局に伝送するために、ＰＵＣＣＨリソースを用いて構成されてもよい。セルは、複数のＰＵＣＣＨグループにグループ化されてもよく、グループ内の１つまたはそれを上回るセルが、ＰＵＣＣＨを用いて構成されてもよい。例示的構成では、１つのＳＣｅｌｌが、１つのＰＵＣＣＨグループに属してもよい。構成されたＰＵＣＣＨが基地局に伝送される、ＳＣｅｌｌは、ＰＵＣＣＨ  ＳＣｅｌｌと呼ばれ得、共通ＰＵＣＣＨリソースが同一基地局に伝送される、セルグループは、ＰＵＣＣＨグループと呼ばれ得る。
【００５４】
リリース−１２では、ＰＵＣＣＨは、ＰＣｅｌｌおよび／またはＰＳＣｅｌｌ上で構成されることができるが、他のＳＣｅｌｌ上では構成されることができない。例示的実施形態では、ＵＥは、ＵＥがＰＣｅｌｌおよびＳＣｅｌｌ上でのＰＵＣＣＨ構成をサポートすることを示す、メッセージを伝送してもよい。そのようなインジケーションは、ＵＥによるデュアルコネクティビティサポートのインジケーションと別個であってもよい。例示的実施形態では、ＵＥは、ＤＣおよびＰＵＣＣＨグループの両方をサポートしてもよい。例示的実施形態では、両方ではなく、ＤＣまたはＰＵＣＣＨグループのいずれかが、構成されてもよい。別の例示的実施形態では、ＤＣおよびＰＵＣＣＨグループの両方を含む、より複雑な構成が、サポートされてもよい。
【００５５】
ＵＥが、ＰＵＣＣＨグループを構成可能であるとき、かつＵＥが、同時ＰＵＣＣＨ／ＰＵＳＣＨ伝送能力をサポートすることを示す場合、ＵＥがＰＣｅｌｌおよびＳＣｅｌｌの両方上で同時ＰＵＣＣＨ／ＰＵＳＣＨ伝送をサポートすることを含意し得る。複数のＰＵＣＣＨグループが構成されるとき、ＰＵＣＣＨは、同時ＰＵＣＣＨ／ＰＵＳＣＨ伝送を用いて構成されてもよい、またはそうではなくてもよい。
【００５６】
例示的実施形態では、２つのサービングセル上の基地局へのＰＵＣＣＨ伝送は、図１０に示されるように、実現されてもよい。セルの第１のグループは、ＰＣｅｌｌ上でＰＵＣＣＨを採用してもよく、ＰＵＣＣＨグループ１または一次ＰＵＣＣＨグループと呼ばれ得る。セルの第２のグループは、ＳＣｅｌｌ上でＰＵＣＣＨを採用してもよく、ＰＵＣＣＨグループ２または二次ＰＵＣＣＨグループと呼ばれ得る。１つ、２つ、またはそれを上回るＰＵＣＣＨグループが、構成されてもよい。実施例では、セルは、２つのＰＵＣＣＨグループにグループ化されてもよく、各ＰＵＣＣＨグループは、ＰＵＣＣＨリソースを用いるセルを含んでもよい。ＰＣｅｌｌは、一次ＰＵＣＣＨグループのためのＰＵＣＣＨリソースを提供してもよく、二次ＰＵＣＣＨグループ内のＳＣｅｌｌは、二次ＰＵＣＣＨグループ内のセルのためのＰＵＣＣＨリソースを提供してもよい。例示的実施形態では、異なるＰＵＣＣＨグループ内のセル間のクロスキャリアスケジューリングは、構成されなくてもよい。異なるＰＵＣＣＨグループ内のセル間のクロスキャリアスケジューリングが構成されないとき、ＰＨＩＣＨチャネル上のＡＣＫ／ＮＡＣＫは、ＰＵＣＣＨグループ内に限定されてもよい。ダウンリンクおよびアップリンクスケジューリングアクティビティは両方とも、異なるＰＵＣＣＨグループに属するセル間で別個であってもよい。
【００５７】
ＳＣｅｌｌ上のＰＵＣＣＨは、ＨＡＲＱ−ＡＣＫおよびＣＳＩ情報を搬送してもよい。ＰＣｅｌｌは、ＰＵＣＣＨリソースを用いて構成されてもよい。例示的実施形態では、ＳＣｅｌｌ上のＰＵＣＣＨのためのＳＣｅｌｌ  ＰＵＣＣＨ電力制御に関するＲＲＣパラメータは、ＰＣｅｌｌ  ＰＵＣＣＨのものと異なり得る。ＳＣｅｌｌ上のＰＵＣＣＨのための電力制御コマンドの伝送は、ＰＵＣＣＨを搬送するＳＣｅｌｌ上のＤＣＩ内で伝送されてもよい。
【００５８】
ＰＵＣＣＨ伝送に関するＵＥプロシージャは、ＰＵＣＣＨグループ間で異なる、および／または独立し得る。例えば、ＤＬ  ＨＡＲＱ−ＡＣＫタイミングの判定、ＨＡＲＱ−ＡＣＫおよび／またはＣＳＩのためのＰＵＣＣＨリソース判定、ＰＵＣＣＨ上の同時ＨＡＲＱ−ＡＣＫ＋ＣＳＩの高次層構成、１つのサブフレーム内の同時ＨＡＲＱ−ＡＣＫ＋ＳＲＳの高次層構成は、ＰＵＣＣＨ  ＰＣｅｌｌおよびＰＵＣＣＨ  ＳＣｅｌｌに関して異なるように構成されてもよい。
【００５９】
ＰＵＣＣＨグループは、ＲＲＣによって構成されたサービングセルのグループであって、ＰＵＣＣＨの伝送のために、グループ内の同一サービングセルを使用してもよい。一次ＰＵＣＣＨグループは、ＰＣｅｌｌを含有するＰＵＣＣＨグループであってもよい。二次ＰＵＣＣＨグループは、ＰＣｅｌｌを含有しないＰＵＣＣＨセルグループであってもよい。例示的実施形態では、ＳＣｅｌｌは、１つのＰＵＣＣＨグループに属してもよい。１つのＳＣｅｌｌがＰＵＣＣＨグループに属するとき、そのＳＣｅｌｌのためのＡＣＫ／ＮＡＣＫまたはＣＳＩは、そのＰＵＣＣＨグループ内のＰＵＣＣＨを経由して（ＰＵＣＣＨ  ＳＣｅｌｌまたはＰＵＣＣＨ  ＰＣｅｌｌを経由して）伝送されてもよい。ＳＣｅｌｌ上のＰＵＣＣＨは、ＰＣｅｌｌ上のＰＵＣＣＨ負荷を低減させ得る。ＰＵＣＣＨ  ＳＣｅｌｌは、対応するＰＵＣＣＨグループ内のＳＣｅｌｌのＵＣＩ伝送のために採用されてもよい。
【００６０】
例示的実施形態では、１つ、２つ、またはそれを上回るＰＵＣＣＨ上で送信される信号伝達を制御する、柔軟性のあるＰＵＣＣＨ構成が、可能となり得る。ＰＣｅｌｌに加え、ＰＵＣＣＨ伝送のための選択された数のＳＣｅｌｌ（本明細書ではＰＵＣＣＨ  ＳＣｅｌｌと呼ばれる）を構成することが可能であり得る。あるＰＵＣＣＨ  ＳＣｅｌｌ内で伝達される制御信号伝達情報は、ＲＲＣ信号伝達を介してネットワークによって構成される、対応するＰＵＣＣＨグループ内のＳＣｅｌｌのセットに関連してもよい。
【００６１】
ＰＵＣＣＨチャネルによって搬送されるＰＵＣＣＨ制御信号伝達は、オフロードまたはロバスト性目的のために、ＰＣｅｌｌとＳＣｅｌｌとの間で分散されてもよい。ＳＣｅｌｌ内のＰＵＣＣＨをイネーブルにすることによって、所与のＵＥに関する全体的ＣＳＩ報告をＰＣｅｌｌと選択された数のＳＣｅｌｌ（例えば、ＰＵＣＣＨ  ＳＣｅｌｌ）との間で分散させ、それによって、あるセル上の所与のＵＥによるＰＵＣＣＨ  ＣＳＩリソース消費を限定することが可能であり得る。あるＳＣｅｌｌに関するＣＳＩ報告を選択されたＰＵＣＣＨ  ＳＣｅｌｌにマップすることが可能であり得る。ＳＣｅｌｌは、制御情報の伝送のためのある周期性および時間オフセットが割り当てられてもよい。サービングセルに関する周期的ＣＳＩは、ＲＲＣ信号伝達を介して、ＰＵＣＣＨ上（ＰＣｅｌｌまたはＰＵＣＣＨ−ＳＣｅｌｌ上）にマップされてもよい。ＣＳＩ報告分散、ＨＡＲＱフィードバック、および／またはＰＵＣＣＨ  ＳＣｅｌｌを横断したスケジューリング要求の可能性は、柔軟性および能力改良を提供し得る。サービングセルに関するＨＡＲＱフィードバックは、ＲＲＣ信号伝達を介して、ＰＵＣＣＨ上（ＰＣｅｌｌまたはＰＵＣＣＨ  ＳＣｅｌｌ上）にマップされてもよい。
【００６２】
例示的実施形態では、ＰＵＣＣＨ伝送は、ＰＣｅｌｌならびにＣＡ内の１つのＳＣｅｌｌ上で構成されてもよい。ＳＣｅｌｌ  ＰＵＣＣＨは、ＰＵＣＣＨグループの概念を使用して実現されてもよく、アグリゲーションされたセルは、２つまたはそれを上回るＰＵＣＣＨグループにグループ化される。ＰＵＣＣＨグループからの１つのセルは、ＰＵＣＣＨを搬送するように構成されてもよい。５つを上回るキャリアが、構成されてもよい。例示的実施形態では、最大ｎ個のキャリアが、アグリゲーションされてもよい。例えば、ｎは、１６、３２、または６４であってもよい。いくつかのＣＣは、高度ＵＥのみをサポートする（例えば、認可支援アクセスＳＣｅｌｌをサポートする）非下位互換性構成を有してもよい。例示的実施形態では、１つのＳＣｅｌｌＰＵＣＣＨ（例えば、２つのＰＵＣＣＨグループ）が、サポートされてもよい。別の例示的実施形態では、ＰＵＣＣＨを搬送する複数の（１つを上回る）ＳＣｅｌｌを用いるＰＵＣＣＨグループ概念が、採用されてもよい（例えば、２つを上回るＰＵＣＣＨグループが存在することができる）。
【００６３】
例示的実施形態では、所与のＰＵＣＣＨグループは、ＭＣＧおよびＳＣＧの両方のサービングセルを含まなくてもよい。ＰＵＣＣＨのうちの１つは、ＰＣｅｌｌ上に構成されてもよい。例示的実施形態では、サービングセルのＰＵＣＣＨマッピングが、ＲＲＣメッセージによって構成されてもよい。例示的実施形態では、ＳＣｅｌｌＩｎｄｅｘおよびＳｅｒｖＣｅｌｌＩｎｄｅｘの最大値は、３１（０〜３１）であってもよい。実施例では、ｓｔａｇ−Ｉｄの最大値は、３であってもよい。スケジューリングされたセルに関するＣＩＦは、明示的に構成されてもよい。ＰＵＣＣＨ  ＳＣｅｌｌは、ＳＣｅｌｌに関するＰＵＣＣＨ構成を与えることによって構成されてもよい。ＰＵＣＣＨ  ＳＣｅｌｌのＨＡＲＱフィードバックおよびＣＳＩ報告は、そのＰＵＣＣＨ  ＳＣｅｌｌのＰＵＣＣＨ上で送信されてもよい。ＳＣｅｌｌのＨＡＲＱフィードバックおよびＣＳＩ報告は、ＰＵＣＣＨ  ＳＣｅｌｌがそのＳＣｅｌｌに関して信号伝達されない場合、ＰＣｅｌｌのＰＵＣＣＨ上で送信されてもよい。ＳＣｅｌｌのＨＡＲＱフィードバックおよびＣＳＩ報告は、１つのＰＵＣＣＨ  ＳＣｅｌｌのＰＵＣＣＨ上で送信されてもよい。故に、それらは、異なるＰＵＣＣＨ  ＳＣｅｌｌのＰＵＣＣＨ上で送信されなくてもよい。ＵＥは、ＰＵＣＣＨを用いて構成されたサービングセルに関してタイプ２ＰＨを報告してもよい。例示的実施形態では、ＭＡＣアクティブ化／非アクティブ化は、ＰＵＣＣＨ  ＳＣｅｌｌのためにサポートされてもよい。ｅＮＢは、ＳＣｅｌｌに関するアクティブ化／非アクティブ化ステータスを管理してもよい。新しく追加されたＰＵＣＣＨ  ＳＣｅｌｌは、最初に、非アクティブ化されてもよい。
【００６４】
例示的実施形態では、ＰＵＣＣＨグループおよびＴＡＧの独立構成が、サポートされてもよい。図１１および図１２は、ＴＡＧおよびＰＵＣＣＨグループの例示的構成を示す。例えば、１つのＴＡＧは、ＰＵＣＣＨを用いる複数のサービングセルを含有してもよい。例えば、各ＴＡＧは、１つのＰＵＣＣＨグループのセルのみを含んでもよい。例えば、ＴＡＧは、異なるＰＵＣＣＨグループに属するサービングセル（ＰＵＣＣＨを用いない）を含んでもよい。
【００６５】
ＴＡＧとＰＵＣＣＨグループとの間の１対１マッピングが、存在しなくてもよい。例えば、ある構成では、ＰＵＣＣＨ  ＳＣｅｌｌは、一次ＴＡＧに属してもよい。例示的実装では、１つのＰＵＣＣＨグループのサービングセルは、異なるＴＡＧ内にあってもよく、１つのＴＡＧのサービングセルは、異なるＰＵＣＣＨグループ内にあってもよい。ＰＵＣＣＨグループおよびＴＡＧの構成は、ｅＮＢ実装に任されてもよい。別の実施例実装では、ＰＵＣＣＨセルの構成における制限が、規定されてもよい。例えば、例示的実施形態では、所与のＰＵＣＣＨグループ内のセルは、同一ＴＡＧに属してもよい。実施例では、ｓＴＡＧは、１つのＰＵＣＣＨグループのセルのみを含んでもよい。実施例では、ＴＡＧとＰＵＣＣＨグループとの間の１対１マッピングが、実装されてもよい。実装では、セル構成は、実施例のうちのいくつかに限定されてもよい。他の実装では、以下の構成の一部または全部が、可能にされてもよい。
【００６６】
例示的実施形態では、ｐＴＡＧ内のＳＣｅｌｌに関して、タイミング基準は、ＰＣｅｌｌであってもよい。ｓＴＡＧ内のＳＣｅｌｌに関して、タイミング基準は、ｓＴＡＧ内の任意のアクティブ化されたＳＣｅｌｌであってもよい。ｐＴＡＧ内のＳＣｅｌｌ（ＰＵＣＣＨを用いて構成されるかどうかにかかわらず）に関して、経路損失基準は、ＰＣｅｌｌまたはＳＩＢ−２リンクＳＣｅｌｌとなるように構成されてもよい。ｓＴＡＧ内のＳＣｅｌｌに関して、経路損失基準は、ＳＩＢ−２リンクＳＣｅｌｌであってもよい。ｐＴＡＧと関連付けられたＴＡＴが満了すると、ｓＴＡＧと関連付けられたＴＡＴは、満了したと見なされ得る。ＰＵＣＣＨ  ＳＣｅｌｌを含有するｓＴＡＧのＴＡＴが満了すると、ＭＡＣは、ＲＲＣに、ＰＵＣＣＨグループのためのＰＵＣＣＨリソースを解放することを示してもよい。ＰＵＣＣＨ  ＳＣｅｌｌを含有するｓＴＡＧのＴＡＴが、起動中ではないとき、ＰＵＣＣＨ  ＳＣｅｌｌを含むｓＴＡＧに属さない二次ＰＵＣＣＨグループ内のＳＣｅｌｌに関するアップリンク伝送（ＰＵＳＣＨ）は、影響され得ない。ＰＵＣＣＨ  ＳＣｅｌｌを含有するｓＴＡＧのＴＡＴ満了は、同一ＰＵＣＣＨグループ内の他のＳＣｅｌｌが属する他のＴＡＧのＴＡＴ満了をトリガし得ない。ＰＵＣＣＨ  ＳＣｅｌｌを含有しないｓＴＡＧと関連付けられたＴＡＴが、起動中ではないとき、無線デバイスは、ｓＴＡＧ内のＳＣｅｌｌに関するアップリンク伝送を停止してもよく、他のＴＡＧに影響し得ない。
【００６７】
例示的実施形態では、ＭＡＣエンティティは、ＴＡＧあたりで構成可能なタイマｔｉｍｅＡｌｉｇｈｎｍｅｎｔＴｉｍｅｒを有してもよい。ｔｉｍｅＡｌｉｇｈｎｍｅｎｔＴｉｍｅｒは、ＭＡＣエンティティがアップリンク時間整合されるべき関連付けられたＴＡＧに属するサービングセルを考慮する時間の長さを制御するために使用されてもよい。ＭＡＣエンティティは、タイミングアドバンスコマンドＭＡＣ制御要素が受信されると、示されるＴＡＧのためのタイミングアドバンスコマンドを適用し、示されるＴＡＧと関連付けられたｔｉｍｅＡｌｉｇｈｎｍｅｎｔＴｉｍｅｒを始動または再始動させてもよい。ＭＡＣエンティティは、タイミングアドバンスコマンドが、ＴＡＧに属するサービングセルのためのランダムアクセス応答メッセージ内で受信されると、および／またはランダムアクセスプリアンブルが、ＭＡＣエンティティによって選択されなかった場合、本ＴＡＧのためのタイミングアドバンスコマンドを適用し、本ＴＡＧと関連付けられたｔｉｍｅＡｌｉｇｈｎｍｅｎｔＴｉｍｅｒを始動または再始動させてもよい。そうでなければ、本ＴＡＧと関連付けられたｔｉｍｅＡｌｉｇｈｎｍｅｎｔＴｉｍｅｒが起動中ではない場合、本ＴＡＧのためのタイミングアドバンスコマンドは、適用され、本ＴＡＧと関連付けられたｔｉｍｅＡｌｉｇｈｎｍｅｎｔＴｉｍｅｒが始動されてもよい。競合解決が、成功ではないと見なされると、本ＴＡＧと関連付けられたｔｉｍｅＡｌｉｇｈｎｍｅｎｔＴｉｍｅｒは、停止されてもよい。そうでなければ、ＭＡＣエンティティは、受信されたタイミングアドバンスコマンドを無視してもよい。
【００６８】
本発明の例示的実施形態は、複数のＰＵＣＣＨグループの動作をイネーブルにしてもよい。他の例示的実施形態は、ＰＵＣＣＨグループの動作を生じさせるように１つまたはそれを上回るプロセッサによって実行可能な命令を含む、非一過性有形コンピュータ可読媒体を含んでもよい。さらに他の例示的実施形態は、プログラマブルハードウェアをイネーブルにし、デバイス（例えば、無線通信機、ＵＥ、基地局等）にＰＵＣＣＨグループの動作を可能にさせるためのその上にエンコードされた命令を有する、非一過性有形コンピュータ可読機械アクセス可能媒体を備える、製造品を含んでもよい。デバイスは、プロセッサ、メモリ、インターフェース、および／または同等物を含んでもよい。他の例示的実施形態は、基地局、無線デバイス（またはユーザ機器：ＵＥ）、サーバ、スイッチ、アンテナ、および／または同等物等のデバイスを備える、通信ネットワークを含んでもよい。例示的実施形態では、１つまたはそれを上回るＴＡＧは、ＰＵＣＣＨグループ構成とともに構成されてもよい。
【００６９】
図１３は、本発明の実施形態のある側面による、例示的ＭＡＣ  ＰＤＵである。例示的実施形態では、ＭＡＣ  ＰＤＵは、ＭＡＣヘッダと、ゼロまたはそれを上回るＭＡＣサービスデータユニット（ＭＡＣ  ＳＤＵ）と、ゼロまたはそれを上回るＭＡＣ制御要素と、随意に、パディングとを含んでもよい。ＭＡＣヘッダおよびＭＡＣ  ＳＤＵは、可変サイズであってもよい。ＭＡＣ  ＰＤＵヘッダは、１つまたはそれを上回るＭＡＣ  ＰＤＵサブヘッダを含んでもよい。サブヘッダは、ＭＡＣ  ＳＤＵ、ＭＡＣ制御要素、またはパディングのいずれかに対応してもよい。ＭＡＣ  ＰＤＵサブヘッダは、ヘッダフィールドＲ、Ｆ２、Ｅ、ＬＣＩＤ、Ｆ、および／またはＬを含んでもよい。ＭＡＣ  ＰＤＵ内の最後のサブヘッダおよび固定サイズのＭＡＣ制御要素のためのサブヘッダは、４つのヘッダフィールドＲ、Ｆ２、Ｅ、および／またはＬＣＩＤを含んでもよい。パディングに対応するＭＡＣ  ＰＤＵサブヘッダは、４つのヘッダフィールドＲ、Ｆ２、Ｅ、および／またはＬＣＩＤを含んでもよい。
【００７０】
例示的実施形態では、ＬＣＩＤまたは論理チャネルＩＤフィールドは、対応するＭＡＣ  ＳＤＵの論理チャネルインスタンスまたは対応するＭＡＣ制御要素もしくはパディングのタイプを識別してもよい。ＭＡＣ  ＳＤＵのための１つのＬＣＩＤフィールド、ＭＡＣ制御要素、またはＭＡＣ  ＰＤＵ内に含まれるパディングが、存在してもよい。これに加え、１つまたは２つの付加的ＬＣＩＤフィールドが、単一バイトまたは２バイトパディングが要求されるが、ＭＡＣ  ＰＤＵの最後にパディングによって達成されることができないとき、ＭＡＣ  ＰＤＵ内に含まれてもよい。ＬＣＩＤフィールドサイズは、例えば、５ビットであってもよい。Ｌまたは長さフィールドは、対応するＭＡＣ  ＳＤＵまたは可変サイズのＭＡＣ制御要素の長さをバイトで示してもよい。固定サイズのＭＡＣ制御要素に対応する最後のサブヘッダおよびサブヘッダを除き、ＭＡＣ  ＰＤＵサブヘッダあたり１つのＬフィールドが、存在してもよい。Ｌフィールドのサイズは、ＦフィールドおよびＦ２フィールドによって示されてもよい。Ｆまたはフォーマットフィールドは、長さフィールドのサイズを示してもよい。固定サイズのＭＡＣ制御要素に対応する最後のサブヘッダおよびサブヘッダを除き、かつＦ２が１に設定されるときを除き、ＭＡＣ  ＰＤＵサブヘッダあたり１つのＦフィールドが、存在してもよい。Ｆフィールドのサイズは、１ビットであってもよい。実施例では、Ｆフィールドが含まれる場合、および／またはＭＡＣ  ＳＤＵまたは可変サイズのＭＡＣ制御要素のサイズが１２８バイト未満である場合、Ｆフィールドの値は、０に設定され、そうでなければ、１に設定される。Ｆ２またはフォーマット２フィールドは、長さフィールドのサイズを示し得る。ＭＡＣ  ＰＤＵサブヘッダあたり１つのＦ２フィールドが、存在してもよい。Ｆ２フィールドのサイズは、１ビットであってもよい。実施例では、ＭＡＣ  ＳＤＵまたは可変サイズのＭＡＣ制御要素のサイズが、３２７６７バイトより大きい場合、かつ対応するサブヘッダが、最後のサブヘッダではない場合、Ｆ２フィールドの値は、１に設定されてもよく、そうでなければ、０に設定される。Ｅまたは拡張フィールドは、さらなるフィールドがＭＡＣヘッダ内に存在するかどうかを示す、フラグであってもよい。Ｅフィールドは、「１」に設定され、少なくともＲ／Ｆ２／Ｅ／ＬＣＩＤフィールドの別のセットを示してもよい。Ｅフィールドは、「０」に設定され、ＭＡＣ  ＳＤＵ、ＭＡＣ制御要素、またはパディングのいずれかが次のバイトで開始することを示してもよい。Ｒまたは反転ビットは、「０」に設定される。
【００７１】
ＭＡＣ  ＰＤＵサブヘッダは、対応するＭＡＣ  ＳＤＵ、ＭＡＣ制御要素、およびパディングと同一順序を有してもよい。ＭＡＣ制御要素は、任意のＭＡＣ  ＳＤＵの前に置かれてもよい。パディングは、単一バイトまたは２バイトパディングが要求されるとき以外、ＭＡＣ  ＰＤＵの最後に生じ得る。パディングは、任意の値を有してもよく、ＭＡＣエンティティは、それを無視してもよい。パディングがＭＡＣ  ＰＤＵの最後に行われるとき、ゼロまたはそれを上回るパディングバイトが、許可されてもよい。単一バイトまたは２バイトパディングが要求されるとき、パディングに対応する１つまたは２つのＭＡＣ  ＰＤＵサブヘッダが、任意の他のＭＡＣ  ＰＤＵサブヘッダの前のＭＡＣ  ＰＤＵの開始に置かれてもよい。実施例では、最大１つのＭＡＣ  ＰＤＵが、ＭＡＣエンティティあたりのＴＢにつき伝送されてもよく、最大１つのＭＣＨ  ＭＡＣ  ＰＤＵが、ＴＴＩあたり伝送されてもよい。
【００７２】
少なくとも１つのＲＲＣメッセージは、少なくとも１つのセルのための構成パラメータと、ＰＵＣＣＨグループのための構成パラメータとを提供してもよい。１つまたはそれを上回るＲＲＣメッセージ内の情報要素は、構成されたセルとＰＵＣＣＨ  ＳＣｅｌｌとの間のマッピングを提供してもよい。セルは、複数のセルグループにグループ化されてもよく、セルは、構成されたＰＵＣＣＨグループのうちの１つに割り当てられてもよい。ＰＵＣＣＨグループと構成されたＰＵＣＣＨリソースを用いるセルとの間には、１対１関係が存在してもよい。少なくとも１つのＲＲＣメッセージは、ＳＣｅｌｌとＰＵＣＣＨグループとの間のマッピングと、ＰＵＣＣＨ  ＳＣｅｌｌ上のＰＵＣＣＨ構成とを提供してもよい。
【００７３】
ＳＣｅｌｌに関するシステム情報（共通パラメータ）は、専用ＲＲＣメッセージにおいてＲａｄｉｏＲｅｓｏｕｒｃｅＣｏｎｆｉｇＣｏｍｍｏｎＳＣｅｌｌ内で搬送されてもよい。ＰＵＣＣＨ関連情報のうちのいくつかは、ＳＣｅｌｌの共通情報内（例えば、ＲａｄｉｏＲｅｓｏｕｒｃｅＣｏｎｆｉｇＣｏｍｍｏｎＳＣｅｌｌ内）に含まれてもよい。ＳＣｅｌｌおよびＰＵＣＣＨリソースの専用構成パラメータは、例えば、ＲａｄｉｏＲｅｓｏｕｒｃｅＣｏｎｆｉｇＤｅｄｉｃａｔｅｄＳＣｅｌｌを使用して、専用ＲＲＣ信号伝達によって構成されてもよい。
【００７４】
ＩＥ  ＰＵＣＣＨ−ＣｏｎｆｉｇＣｏｍｍｏｎおよびＩＥ  ＰＵＣＣＨ−ＣｏｎｆｉｇＤｅｄｉｃａｔｅｄは、それぞれ、共通およびＵＥ特有ＰＵＣＣＨ構成を規定するために使用されてもよい。
【００７５】
実施例では、ＰＵＣＣＨ−ＣｏｎｆｉｇＣｏｍｍｏｎは、ｄｅｌｔａＰＵＣＣＨ−Ｓｈｉｆｔ：ＥＮＵＭＥＲＡＴＥＤ｛ｄｓ１、ｄｓ２、ｄｓ３｝、ｎＲＢ−ＣＱＩ：ＩＮＴＥＧＥＲ（０．．９８）；ｎＣＳ−ＡＮ：ＩＮＴＥＧＥＲ（０．．７）、および／またはｎ１ＰＵＣＣＨ−ＡＮ：ＩＮＴＥＧＥＲ（０．．２０４７）を含んでもよい。パラメータ
【化１】
0006437666.tif 000002
は、ＰＵＣＣＨの物理層パラメータであってもよい。
【００７６】
ＰＵＣＣＨ−ＣｏｎｆｉｇＤｅｄｉｃａｔｅｄが、採用されてもよい。ＰＵＣＣＨ−ＣｏｎｆｉｇＤｅｄｉｃａｔｅｄは、ａｃｋＮａｃｋＲｅｐｅｔｉｔｉｏｎＣＨＯＩＣＥ｛ｒｅｌｅａｓｅ：ＮＵＬＬ，ｓｅｔｕｐ：ＳＥＱＵＥＮＣＥ｛ｒｅｐｅｔｉｔｉｏｎＦａｃｔｏｒ：ＥＮＵＭＥＲＡＴＥＤ｛ｎ２，ｎ４，ｎ６，ｓｐａｒｅ１｝、ｎ１ＰＵＣＣＨ−ＡＮ−Ｒｅｐ：ＩＮＴＥＧＥＲ（０．．２０４７）｝｝、ｔｄｄ−ＡｃｋＮａｃｋＦｅｅｄｂａｃｋＭｏｄｅ：ＥＮＵＭＥＲＡＴＥＤ｛ｂｕｎｄｌｉｎｇ，ｍｕｌｔｉｐｌｅｘｉｎｇ｝ＯＰＴＩＯＮＡＬ｝を含んでもよい。ａｃｋＮａｃｋＲｅｐｅｔｉｔｉｏｎｊパラメータは、ＡＣＫ／ＮＡＣＫ反復が構成されるかどうかを示す。ｎ２は、ｒｅｐｅｔｉｔｏｎＦａｃｏｒパラメータ
【化２】
0006437666.tif 000003
に関する反復係数２に対応し、ｎ４は、４に対応する。ｎ１ＰＵＣＣＨ−ＡＮ−Ｒｅｐパラメータは、アンテナポートＰ０およびアンテナポートＰ１に関する
【化３】
0006437666.tif 000004
であってもよい。ｄｄ−ＡｃｋＮａｃｋＦｅｅｄｂａｃｋＭｏｄｅパラメータは、使用されるＴＤＤ  ＡＣＫ／ＮＡＣＫフィードバックモードのうちの１つを示してもよい。値ｂｕｎｄｌｉｎｇは、ＡＣＫ／ＮＡＣＫバンドリングの使用に対応し得る一方、値ｍｕｌｔｉｐｌｅｘｉｎｇは、ＡＣＫ／ＮＡＣＫ多重化に対応し得る。同一値が、ＰＵＣＣＨならびにＰＵＳＣＨ上のＡＣＫ／ＮＡＣＫフィードバックモードの両方に適用されてもよい。
【００７７】
パラメータＰＵＣＣＨ−ＣｏｎｆｉｇＤｅｄｉｃａｔｅｄは、同時ＰＵＣＣＨおよびＰＵＳＣＨ伝送が構成されるかどうかを示す、同時ＰＵＣＣＨ−ＰＵＳＣＨパラメータを含んでもよい。Ｅ−ＵＴＲＡＮは、ｎｏｎＣｏｎｔｉｇｕｏｕｓＵＬ−ＲＡ−ＷｉｔｈｉｎＣＣ−Ｉｎｆｏが、ＰＣｅｌｌが構成されるバンド内でｓｕｐｐｏｒｔｅｄに設定されるとき、ＰＣｅｌｌに関する本フィールドを構成してもよい。Ｅ−ＵＴＲＡＮは、ｎｏｎＣｏｎｔｉｇｕｏｕｓＵＬ−ＲＡ−ＷｉｔｈｉｎＣＣ−Ｉｎｆｏが、ＰＳＣｅｌｌが構成されるバンド内でｓｕｐｐｏｒｔｅｄに設定されるとき、ＰＳＣｅｌｌに関する本フィールドを構成してもよい。Ｅ−ＵＴＲＡＮは、ｎｏｎＣｏｎｔｉｇｕｏｕｓＵＬ−ＲＡ−ＷｉｔｈｉｎＣＣ−Ｉｎｆｏが、ＰＵＣＣＨＳＣｅｌｌが構成されるバンド内でｓｕｐｐｏｒｔｅｄに設定されるとき、ＰＵＣＣＨＳＣｅｌｌに関する本フィールドを構成してもよい。
【００７８】
ＵＥは、無線能力をｅＮＢに伝送し、ＵＥがＰＵＣＣＨグループの構成をサポートするかどうかを示してもよい。ＵＥ能力メッセージ内の同時ＰＵＣＣＨ−ＰＵＳＣＨは、ＰＣｅｌｌおよびＳＣｅｌｌの両方に適用されてもよい。同時ＰＵＣＣＨ＋ＰＵＳＣＨは、ＰＣｅｌｌおよびＰＵＣＣＨ  ＳＣｅｌｌのために別個に（別個のＩＥを使用して）構成されてもよい。例えば、ＰＣｅｌｌおよびＰＵＣＣＨ  ＳＣｅｌｌは、同時ＰＵＣＣＨ＋ＰＵＳＣＨに関連する、異なるまたは同一構成を有してもよい。
【００７９】
ｅＮＢは、セル負荷、キャリア品質（例えば、測定報告を使用して）、キャリア構成、および／または他のパラメータを考慮して、現在のＳＣｅｌｌまたは候補ＳＣｅｌｌ間でＰＵＣＣＨ  ＳＣｅｌｌを選択してもよい。機能性の観点から、ＰＵＣＣＨセルグループ管理プロシージャは、ＰＵＣＣＨセルグループ追加、ＰＵＣＣＨセルグループ解放、ＰＵＣＣＨセルグループ変更、および／またはＰＵＣＣＨセルグループ再構成を含んでもよい。ＰＵＣＣＨセルグループ追加プロシージャは、二次ＰＵＣＣＨセルグループを追加する（例えば、ＰＵＣＣＨ  ＳＣｅｌｌおよび１つまたはそれを上回るＳＣｅｌｌを二次ＰＵＣＣＨセルグループ内に追加する）ために使用されてもよい。例示的実施形態では、セルは、１つまたはそれを上回るＲＲＣメッセージを採用して、解放および追加されてもよい。別の例示的実施形態では、セルは、第１のＲＲＣメッセージを採用して解放され、次いで、第２のＲＲＣメッセージを採用して追加されてもよい。
【００８０】
ＰＵＣＣＨ  ＳＣｅｌｌを含むＳＣｅｌｌは、構成されるとき、非アクティブ化状態であってもよい。ＰＵＣＣＨ  ＳＣｅｌｌは、アクティブ化ＭＡＣ  ＣＥによって、ＲＲＣ構成プロシージャ後、アクティブ化されてもよい。ｅＮＢは、ＭＡＣ  ＣＥアクティブ化コマンドをＵＥに伝送してもよい。ＵＥは、ＭＡＣ  ＣＥアクティブ化コマンドの受信に応答して、ＳＣｅｌｌをアクティブ化してもよい。
【００８１】
例示的実施形態では、タイマは、いったん始動されると、停止または満了するまで、起動中である。そうでなければ、起動していなくてもよい。タイマは、起動中ではない場合、始動されることができる、または起動中である場合、再始動される。例えば、タイマは、その初期値から始動または再始動されてもよい。
【００８２】
ＤＣが構成されるとき、無線デバイスは、マスタｅＮＢとの通信を管理するための第１のＰＨＹおよびＭＡＣエンティティを有し、かつ二次ｅＮＢとの通信を管理するための第２のＰＨＹおよびＭＡＣエンティティを有する。ＤＣが構成されないとき、単一ＰＨＹおよびＭＡＣエンティティは、複数のセル上の単一ｅＮＢとの通信を管理する。例えば、ＰＵＣＣＨグループが構成されるとき、ＵＥは、複数のＰＵＣＣＨセルグループのための単一ＰＨＹ／ＭＡＣエンティティを採用し得る。例示的実施形態に説明されるＳＲＳ機構は、単一ＰＨＹおよびＭＡＣエンティティに適用可能である。
【００８３】
ＬＴＥ規格３ＧＰＰ  ＴＳ３６．２１３のリリース１２によると、ＵＥは、ＳＲＳ伝送がＰＵＣＣＨ、ＰＵＳＣＨ、および／またはＰＲＡＣＨの伝送と重複するとき、多くのシナリオでは、サウンディング基準信号（ＳＲＳ）伝送をドロップし得る。ＣＧ内の多重ＴＡＧが構成されないときのＳＲＳドロッピングは、ＣＧ内のＰＵＳＣＨ、ＰＵＣＣＨ、ＰＲＡＣＨとのＳＲＳの並行伝送が許可され得ないため、より高率となり得る。
【００８４】
リリース−１２における限界は、特に、多数のキャリアが構成され、アクティブ化されるとき、および／またはアップリンクトラフィックが多いとき、および／または１つを上回るＰＵＣＣＨが構成されるとき、アップリンクにおけるＳＲＳ信号の過剰ドロッピングを生じさせ得る。例えば、ＰＵＣＣＨグループが構成されるとき、ＰＵＣＣＨは、所与のｅＮＢへの制御情報の伝送のために、ＰＣｅｌｌおよび１つまたはそれを上回るＳＣｅｌｌ上に構成され得る。これは、ＰＵＣＣＨおよびＳＲＳ伝送が重複する可能性を増加させ得、過剰ＳＲＳドロッピングをもたらし得る。比較的に多数のアップリンクセルが構成されるとき、例えば、最大３２のセルが構成されるとき、およびアップリンクトラフィックが多いとき、ＳＲＳおよびＰＵＳＣＨトランスポートブロックの伝送が重複する可能性は、増加する。これは、過剰ＳＲＳドロッピングをもたらし得る。
【００８５】
ＳＲＳ信号が、ＵＥによって伝送されてもよく、基地局にチャネル条件についての情報を提供してもよい。アップリンクにおけるＳＲＳ信号のドロッピングの可能性を低減させることは、無線チャネル条件を推定するための基地局の能力を強化させ得る。例示的シナリオでは、基地局は、並行して、ＰＲＡＣＨ信号、ＰＵＣＣＨ信号、ＰＵＳＣＨ信号、およびＳＲＳ信号のうちの１つまたはそれを上回るものの組み合わせを伝送する必要があり得る。他のアップリンク物理チャネル信号とのＳＲＳおよび／またはＰＲＡＣＨ信号の並行伝送を採用する機構の実装は、ネットワーク性能を強化し得る。本発明の例示的実施形態は、ＵＥがアップリンク電力が限定されないときに適用可能であり得る。
【００８６】
本発明の例示的実施形態では、多重ＴＡＧが構成されるとき、旧来のリリース−１２実施形態が、２つまたはそれを上回るセルがＰＵＣＣＨリソースを含み得ることを考慮して実装されてもよい。現在の機構は、ＰＵＣＣＨ伝送を伴う１つを上回るセルが存在し得ることを考慮して実装され得る。ＳＲＳ伝送がセルのうちの１つのＰＵＣＣＨと衝突するとき、旧来の機構が、ＰＵＣＣＨを伴うその所与のセルのために実装され得る。異なるセルのＰＵＣＣＨリソースは、異なる構成パラメータを有し得る。例えば、ａｃｋＮａｃｋＳＲＳ−ＳｉｍｕｌｔａｎｅｏｕｓＴｒａｎｓｍｉｓｓｉｏｎ  ＩＥが、ＰＵＣＣＨ二次セルと比較して一次セルに関して異なるように構成され得る。一次セル上のＳＲＳ構成および伝送は、ＰＵＣＣＨ二次セル上のＳＲＳ伝送と同一ではない場合がある。多重ＴＡＧの構成が、ＴＡＧ内または異なるＴＡＧ内におけるＰＵＣＣＨ／ＰＵＣＣＨとのＳＲＳの並行伝送を可能にし得るため、ＳＲＳドロッピングを低減させ得る。これはまた、異なるＴＡＧ内のＰＲＡＣＨとのＳＲＳの並行伝送を可能にし得る。本発明の例示的実施形態は、ＳＲＳ伝送を改良し得る。
【００８７】
例示的実施形態では、ＰＵＣＣＨグループが構成されるとき、ＳＲＳ伝送は、所与のセルグループ内で独立して制御され得る。ＰＵＣＣＨグループは、そのセルグループ内のＰＵＳＣＨ／ＰＵＣＣＨ伝送を考慮して、その独自のＰＵＣＣＨグループ内でＳＲＳ伝送を実装し得る。ＵＥは、ＲＲＣメッセージを使用して、その無線リソース能力をｅＮＢに伝送し、ＵＥがそのような能力（例えば、複数のセル上のＰＵＣＣＨ構成の能力）を有することを示し得る。ｅＮＢは、１つまたはそれを上回るＲＲＣメッセージを伝送し、ＵＥの能力を考慮してセルおよびＳＲＳ信号を構成してもよい（例えば、ｅＮＢは、複数のＰＵＣＣＨグループを構成してもよい）。
【００８８】
例えば、所与のセル内でＳＲＳ信号を伝送および伝送しない（ドロップする）ためのルールは、関連付けられたＰＵＣＣＨグループ内のセルの機能であり得、別のセルグループのＰＵＣＣＨ／ＰＵＳＣＨ伝送に依存しなくてもよい。例えば、一次ＰＵＣＣＨグループのＳＣｅｌｌのシンボル内のＳＲＳは、二次ＰＵＣＣＨグループ内のセル内で伝送されるＰＵＳＣＨトランスポートブロックと並行して伝送されてもよい。別の実施例では、ＰＵＣＣＨグループのＳＣｅｌｌのシンボル内のＳＲＳは、同一ＰＵＣＣＨグループ内の同一または異なるセル内で伝送されるＰＵＳＣＨトランスポートブロックとの並行伝送のためにスケジューリングされるとき、伝送され得ない（ドロップされる）。類似実施例が、ＰＵＣＣＨ信号およびＳＲＳ信号の並行伝送に関して提供され得る。例えば、一次ＰＵＣＣＨグループのＳＣｅｌｌのシンボル内のＳＲＳは、二次ＰＵＣＣＨグループ内のセル内で伝送されるＰＵＣＣＨと並行して伝送されてもよい。別の実施例では、ＰＵＣＣＨグループのＳＣｅｌｌのシンボル内のＳＲＳは、同一ＰＵＣＣＨグループ内の同一または異なるセル内で伝送されるＰＵＣＣＨ（例えば、通常フォーマットであって、短縮フォーマットではない、最後のシンボル内で伝送されるＰＵＣＣＨ）との並行伝送のためにスケジューリングされるとき、伝送され得ない（ドロップされる）。これは、いくつかのシナリオ、例えば、ＨＡＲＱ−ＡＣＫ伝送を伴わないタイプ１トリガＳＲＳおよびＰＵＣＣＨフォーマット２が、同一サブフレーム内で偶然同時に起こるとき（以下に説明されるように）、適用可能ではあり得ない。
【００８９】
図１４は、開示される実施形態のある側面による、例示的ＰＵＣＣＨグループおよびＳＲＳ伝送を示す。ＵＥが、ＰＵＣＣＨ  ＳＣｅｌｌを用いて構成される（ＰＵＣＣＨグループを用いて構成される）場合、ＵＥは、一次ＰＵＣＣＨグループおよび二次ＰＵＣＣＨグループの両方のためにサウンディングプロシージャを適用してもよい。ＵＥは、二次ＰＵＣＣＨグループ内で伝送される信号から独立して、一次ＰＵＣＣＨグループのためのサウンディングプロシージャを適用してもよい。ＵＥは、一次ＰＵＣＣＨグループ内で伝送される信号から独立して、二次ＰＵＣＣＨグループのためのサウンディングプロシージャを適用してもよい。
【００９０】
本発明の例示的実施形態は、ＳＲＳドロッピングを低減させ、異なるＰＵＣＣＨグループ内の独立ＳＲＳ伝送プロシージャをイネーブルにする。例示的実施形態は、ＵＥがＰＵＣＣＨグループ内でアップリンク電力が限定されないとき、適用されてもよい。例えば、構成されたＳＲＳ信号伝送は、無線デバイスが、別のＰＵＣＣＨグループ内のデータおよび／または制御信号と並行して、ＰＵＣＣＨグループ内でＳＲＳ信号を伝送するために十分な伝送電力を有していないため、ドロップされ得る（伝送されない）。
【００９１】
図１５は、多重ＴＡＧが構成されないとき、例示的ＬＴＥアドバンストネットワーク内で実装され得る、アップリンク内のＳＲＳおよびＰＵＳＣＨ／ＰＵＣＣＨの伝送のためのいくつかの例示的信号伝送シナリオを提供する表を示す。これらの例示的シナリオは、同一ＰＵＣＣＨグループ内で適用可能であり得る。ＰＵＣＣＨグループ内のＳＲＳ伝送は、別のＰＵＣＣＨグループ内の伝送に依存しなくてもよい。例えば、ＳＲＳが、第１のＰＵＣＣＨグループ内で伝送され、ＰＵＳＣＨ／ＰＵＣＣＨが、第２のＰＵＣＣＨグループ内で伝送されるとき、ＵＥは、ＳＲＳまたはＰＵＣＣＨ伝送を決定するために、以下の表内のルール／プロシージャを使用しなくてもよい。
【００９２】
例示的実施形態では、ＵＥが、ＳＲＳ信号との重複のため、ＰＵＣＣＨ信号の構成された伝送を伝送し得ない（ドロップする）、シナリオは、同一ＰＵＣＣＨグループ内で限定され得る。例えば、ＵＥは、本ＰＵＣＣＨ伝送が、同一ＰＵＣＣＨグループ内でのタイプ１トリガＳＲＳと時間的に同一サブフレーム内で偶然同時に起こる場合、ＨＡＲＱ−ＡＣＫを伴わずに、ＰＵＣＣＨフォーマット２を伝送し得ない。ＵＥは、本ＰＵＣＣＨ伝送が、第２のＰＵＣＣＨグループのタイプ１トリガＳＲＳと時間的に同一サブフレーム内で偶然同時に起こる場合、第１のＰＵＣＣＨグループ内でＨＡＲＱ−ＡＣＫを伴わずにＰＵＣＣＨフォーマット２を伝送し得る。
【００９３】
例示的実施形態では、無線デバイスは、基地局から、複数の物理アップリンク制御チャネル（ＰＵＣＣＨ）グループにグループ化された複数のセルの構成パラメータを含む、少なくとも１つのメッセージを受信してもよい。ＰＵＣＣＨグループは、一次ＰＵＣＣＨが基地局に伝送される一次セルを含む、一次ＰＵＣＣＨグループと、二次ＰＵＣＣＨが基地局に伝送されるＰＵＣＣＨ二次セルを含む、二次ＰＵＣＣＨグループとを含む。少なくとも１つのメッセージは、１つまたはそれを上回るセルのサウンディング基準信号（ＳＲＳ）構成パラメータを含む。無線デバイスは、二次ＰＵＣＣＨグループの第２のセル上の第１のＳＲＳと並行して、一次セル上で、ＨＡＲＱ−ＡＣＫを伴わずに第１のフォーマット２ＰＵＣＣＨ信号を伝送し得る。無線デバイスは、第２のＳＲＳ信号が、第２のフォーマット２ＰＵＣＣＨ信号の構成された伝送と並行して、一次ＰＵＣＣＨグループの第３のセル上で伝送されるとき、一次セル上で、ＨＡＲＱ−ＡＣＫを伴わずに、第２のフォーマット２ＰＵＣＣＨ信号の構成された伝送をドロップし得る。第３のセルは、一次ＰＵＣＣＨグループ内の一次セルまたは任意の他のセルであってもよい。第２のセルは、二次ＰＵＣＣＨグループ内のＰＵＣＣＨ二次セルまたは任意の他のセルであってもよい。
【００９４】
例示的実施形態では、ＵＥは、一次セルグループ内のＰＲＡＣＨ伝送と並行して、二次ＰＵＣＣＨグループ内でＳＲＳ信号を並行して伝送し得る。これはさらに、ＳＲＳドロッピングを低減させ得る。
【００９５】
例示的実施形態は、ＳＲＳ信号およびＰＵＣＣＨ信号の両方のドロッピングの可能性を低減させ得る。本発明の例示的実施形態は、ＵＥが、アップリンク電力が限定されず、他のアップリンク信号と並行してＳＲＳ信号を伝送するために十分な電力を有するとき、適用可能であり得る。
【００９６】
例示的実装では、一次ＰＵＣＣＨグループおよび二次ＰＵＣＣＨグループの一次セル上のＰＲＡＣＨおよび二次セル上のＳＲＳ信号の並行伝送が、許可され得る。例示的実施形態では、第１のＰＵＣＣＨグループの第１のセル内のＰＵＣＣＨ／ＰＵＳＣＨおよび第２のＰＵＣＣＨグループの第２のセル内のＳＲＳ信号の並行伝送が、可能にされ得る。第１のＰＵＣＣＨグループ内の第１のセル内のＰＲＡＣＨおよび第２のＰＵＣＣＨグループの第２のセル内のＳＲＳ信号の並行伝送が、可能にされ得る。ＰＲＡＣＨ上のプリアンブルが、対応するＴＡＧが同期しないため、伝送され得る。
【００９７】
例示的実施形態では、多重ＴＡＧが構成されるとき、多重ＰＲＡＣＨが、構成され得る。ＵＥは、第２のＴＡＧ内のＰＲＡＣＨ伝送と並行して、第１のＴＡＧ内のＳＲＳを伝送し得る。ＵＥは、同一ＴＡＧ内のＰＲＡＣＨ伝送と同時に起こるとき、ＳＲＳ信号をドロップし得る。
【００９８】
ＵＥサウンディングプロシージャの実装が、本明細書に説明される。ＵＥが、ＰＵＣＣＨ  ＳＣｅｌｌを用いて構成される（ＰＵＣＣＨグループを用いて構成される）場合、ＵＥは、一次ＰＵＣＣＨグループおよび二次ＰＵＣＣＨグループの両方のためにサウンディングプロシージャを適用し得る。ＵＥは、二次ＰＵＣＣＨグループ内で伝送される信号から独立して、一次ＰＵＣＣＨグループのためのサウンディングプロシージャを適用し得る。ＵＥは、一次ＰＵＣＣＨグループ内で伝送される信号から独立して、二次ＰＵＣＣＨグループのためのサウンディングプロシージャを適用し得る。
【００９９】
例示的ＵＥサウンディング（ＳＲＳ）伝送プロシージャは、以下の段落に説明される。本プロシージャが、一次ＰＵＣＣＨグループのために適用されるとき、用語「二次セル」、「複数の二次セル」、「サービングセル」、および「複数のサービングセル」は、それぞれ、一次ＰＵＣＣＨグループに属する二次セル、複数の二次セル、サービングセル、または複数のサービングセルを指し得る。本プロシージャが、二次ＰＵＣＣＨグループのために適用されるとき、用語「二次セル」、「複数の二次セル」、「サービングセル」、および「複数のサービングセル」は、それぞれ、二次ＰＵＣＣＨグループに属する二次セル、複数の二次セル（ＰＵＣＣＨ  ＳＣｅｌｌを含まない）、サービングセル、複数のサービングセルを指し得る。
【０１００】
ＵＥは、少なくとも、２つのトリガタイプ、すなわち、トリガタイプ０：高次層信号伝達と、ＤＣＩ信号伝達、例えば、ＦＤＤおよびＴＤＤのためのＤＣＩフォーマット０／４／１ＡならびにＴＤＤのためのＤＣＩフォーマット２Ｂ／２Ｃ／２Ｄを採用するトリガタイプ１とに基づいて、サービングセルＳＲＳリソースあたりでサウンディング基準信号（ＳＲＳ）を伝送してもよい。ＦＤＤおよびＴＤＤのフルアップリンクサブフレームでは、ＳＲＳは、サブフレームの最後のシンボル内で伝送される。
【０１０１】
例示的実施形態では、トリガタイプ０およびトリガタイプ１ＳＲＳ伝送の両方が、同一サービングセル内の同一サブフレーム内で生じる場合、ＵＥは、トリガタイプ１ＳＲＳ伝送を伝送し得る。
【０１０２】
ＵＥは、サービングセル上でのトリガタイプ０およびトリガタイプ１のためのＳＲＳパラメータを用いて構成されてもよい。以下のＳＲＳパラメータは、サービングセル特有であって、トリガタイプ０およびトリガタイプ１のために高次層（例えば、ＲＲＣ層）によって半静的に構成可能であり得る。例えば、ｅＮＢは、１つまたはそれを上回るＲＲＣメッセージをＵＥに伝送してもよい。１つまたはそれを上回るＲＲＣメッセージは、以下のパラメータのうちの１つまたはそれを上回るものを含んでもよい。
−構成される場合、トリガタイプ０のためのコーム
【数１】
0006437666.tif 000005
の数およびトリガタイプ１の構成
−トリガタイプ０のための伝送コーム
【数２】
0006437666.tif 000006
およびトリガタイプ１の構成
−トリガタイプ０のための開始物理リソースブロック割当
【数３】
0006437666.tif 000007
およびトリガタイプ１の構成
−トリガタイプ０のための持続時間：単一または不定（ディスエーブルにされるまで）
−トリガタイプ０のためのＳＲＳ周期性
【数４】
0006437666.tif 000008
およびＳＲＳサブフレームオフセット
【数５】
0006437666.tif 000009
（実施例は、図１６Ａの表Ａに示される）ならびにＳＲＳ周期性
【数６】
0006437666.tif 000010
およびＳＲＳサブフレームオフセット
【数７】
0006437666.tif 000011
（他の表が適用され得る）に関するｓｒｓ−ＣｏｎｆｉｇＩｎｄｅｘ  ＩＳＲＳ
−トリガタイプ０のためのＳＲＳ帯域幅
【数８】
0006437666.tif 000012
およびトリガタイプ１の構成
−トリガタイプ０のための周波数ホッピング帯域幅
【数９】
0006437666.tif 000013
−トリガタイプ０のための循環シフト
【数１０】
0006437666.tif 000014
およびトリガタイプ１の構成
−トリガタイプ０のためのアンテナポートの数
【数１１】
0006437666.tif 000015
およびトリガタイプ１の構成
【０１０３】
トリガタイプ１およびＤＣＩフォーマット４に関して、ＳＲＳパラメータの３つのセットｓｒｓ−ＣｏｎｆｉｇＡｐＤＣＩ−Ｆｏｒｍａｔ４が、高次層信号伝達によって構成されてもよい。ＤＣＩフォーマット４内の２−ビットＳＲＳ要求フィールドは、ＳＲＳパラメータセットが、ＳＲＳ要求フィールドの異なる値：「００」：無タイプ１ＳＲＳトリガ、「０１」：高次層によって構成された第１のＳＲＳパラメータセット、「１０」：高次層によって構成された第２のＳＲＳパラメータセット、「１１」：高次層によって構成された第３のＳＲＳパラメータセットに従うことを示し得る。
【０１０４】
トリガタイプ１およびＤＣＩフォーマット０に関して、ＳＲＳパラメータの単一セットｓｒｓ−ＣｏｎｆｉｇＡｐＤＣＩ−Ｆｏｒｍａｔ０が、高次層信号伝達によって構成されてもよい。トリガタイプ１およびＤＣＩフォーマット１Ａ／２Ｂ／２Ｃ／２Ｄに関して、ＳＲＳパラメータの単一共通セットｓｒｓ−ＣｏｎｆｉｇＡｐＤＣＩ−Ｆｏｒｍａｔ１ａ２ｂ２ｃが、高次層信号伝達によって構成される。ＳＲＳ要求フィールドは、ＤＣＩフォーマット０／１Ａ／２Ｂ／２Ｃ／２Ｄのための１ビットであって、タイプ１ＳＲＳは、ＳＲＳ要求フィールドの値が「１」に設定される場合、トリガされる。１−ビットＳＲＳ要求フィールドは、ＵＥが、高次層信号伝達によってＤＣＩフォーマット０／１Ａ／２Ｂ／２Ｃ／２ＤためのＳＲＳパラメータを用いて構成される場合、フレーム構造タイプ１のためのＤＣＩフォーマット０／１Ａおよびフレーム構造タイプ２のための０／１Ａ／２Ｂ／２Ｃ／２Ｄ内に含まれてもよい。
【０１０５】
サービングセル特有ＳＲＳ伝送帯域幅
【数１２】
0006437666.tif 000016
は、高次層によって構成されてもよい。サービングセル特有ＳＲＳ伝送サブフレームも、高次層によって構成されてもよい。ＴＤＤサービングセルに関して、ＳＲＳ伝送は、サービングセルのための高次層パラメータｓｕｂｆｒａｍｅＡｓｓｉｇｎｍｅｎｔによって示されるＵＬ／ＤＬ構成のＵｐＰＴＳおよびアップリンクサブフレーム内で生じ得る。
【０１０６】
閉ループＵＥ伝送アンテナ選択が、伝送アンテナ選択をサポートするＵＥのための所与のサービングセルのためにイネーブルにされると、時間ｎＳＲＳにおいてＳＲＳを伝送する、ＵＥアンテナのインデックス
【数１３】
0006437666.tif 000017
は、部分的およびフルサウンディング帯域幅の両方に関して、
【数１４】
0006437666.tif 000018
によって与えられ得、周波数ホッピングがディスエーブルにされる
【数１５】
0006437666.tif 000019
とき、
【数１６】
0006437666.tif 000020
となり、
【０１０７】
周波数ホッピングが、イネーブルにされる
【数１７】
0006437666.tif 000021
とき、
【数１８】
0006437666.tif 000022
となる。例外は、単一ＳＲＳ伝送がＵＥのために構成されるときであり得る。ＵＥが、１つを上回るサービングセルを用いて構成される場合、ＵＥは、異なるアンテナポート上でＳＲＳを同時に伝送することが予期され得ない。
【０１０８】
ＵＥは、サービングセルのＮｐアンテナポート上でＳＲＳを伝送するように構成され得、Ｎｐは、高次層信号伝達（例えば、ＲＲＣ層）によって構成され得る。ＰＵＳＣＨ伝送モード
【数１９】
0006437666.tif 000023
およびＰＵＳＣＨ伝送モード
【数２０】
0006437666.tif 000024
に関して、２つのアンテナポートがＰＵＳＣＨのために構成され、
【数２１】
0006437666.tif 000025
に関して、４つのアンテナポートがＰＵＳＣＨのために構成される。サービングセルの複数のアンテナポート上のＳＲＳ伝送のために構成されたＵＥは、サービングセルの同一サブフレームの１つのＳＣ−ＦＤＭＡシンボル内で構成された伝送アンテナポートのためにＳＲＳを伝送し得る。ＳＲＳ伝送帯域幅および開始物理リソースブロック割当は、所与のサービングセルの構成されたアンテナポートのために同一であってもよい。ＵＥは、ＵＥが、サービングセルの４つのアンテナポート上でのＳＲＳ伝送のために構成される場合、「４」に設定される
【数２２】
0006437666.tif 000026
の値をサポートし得ない。
【０１０９】
多重ＴＡＧを用いて構成されないＵＥは、ＳＲＳおよびＰＵＳＣＨ伝送が同一シンボル内で偶然重複するときは常時、シンボル内でＳＲＳを伝送し得ない。説明されるように、以下のプロシージャは、同一ＰＵＣＣＨグループに適用される。例えば、第１のＰＵＣＣＨグループ内のＳＲＳは、第２のＰＵＣＣＨグループ内のＰＵＳＣＨと並行して伝送されてもよい（同一シンボル内で重複する）。
【０１１０】
ＴＤＤサービングセルおよびＵｐＰＴＳ内で付加的ＳＣ−ＦＤＭＡシンボル用いて構成されないＵＥに関して、１つのＳＣ−ＦＤＭＡシンボルが所与のサービングセルのＵｐＰＴＳ内に存在するとき、ＳＲＳ伝送のために使用されてもよく、２つのＳＣ−ＦＤＭＡシンボルが所与のサービングセルのＵｐＰＴＳ内に存在するとき、両方が、ＳＲＳ伝送のために使用されてもよく、トリガタイプ０ＳＲＳに関して、両方が、同一ＵＥに割り当てられてもよい。ＴＤＤサービングセルに関して、ＵＥが、所与のサービングセルのＵｐＰＴＳ内の２つまたは４つの付加的ＳＣ−ＦＤＭＡシンボルを用いて構成される場合、ＳＲＳ伝送のために使用されてもよく、トリガタイプ０ＳＲＳに関して、最大１つが、同一ＵＥに割り当てられてもよい。
【０１１１】
ＵＥが、多重ＴＡＧを用いて構成されない場合、またはＵＥが、多重ＴＡＧを用いて構成され、ＳＲＳおよびＰＵＣＣＨフォーマット２／２ａ／２ｂが同一サービングセル内の同一サブフレーム内で偶然同時に起こる場合、
−ＵＥは、タイプ０トリガＳＲＳおよびＰＵＣＣＨフォーマット２／２ａ／２ｂ伝送が同一サブフレーム内で偶然同時に起こるときは常時、タイプ０トリガＳＲＳを伝送し得ない。
−ＵＥは、タイプ１トリガＳＲＳおよびＨＡＲＱ−ＡＣＫ伝送を伴うＰＵＣＣＨフォーマット２ａ／２ｂまたはフォーマット２が同一サブフレーム内で偶然同時に起こるときは常時、タイプ１トリガＳＲＳを伝送し得ない。
−ＵＥは、タイプ１トリガＳＲＳおよびＨＡＲＱ−ＡＣＫ伝送を伴わないＰＵＣＣＨフォーマット２が同一サブフレーム内で偶然同時に起こるときは常時、ＨＡＲＱ−ＡＣＫを伴わないＰＵＣＣＨフォーマット２を伝送し得ない。
ＵＥが、多重ＴＡＧを用いて構成されない場合、またはＵＥが、多重ＴＡＧを用いて構成され、ＳＲＳおよびＰＵＣＣＨが、同一サービングセル内の同一サブフレーム内で偶然同時に起こる場合、
−ＵＥは、パラメータａｃｋＮａｃｋＳＲＳ−ＳｉｍｕｌｔａｎｅｏｕｓＴｒａｎｓｍｉｓｓｉｏｎがＦＡＬＳＥである場合、ＳＲＳ伝送ならびにＨＡＲＱ−ＡＣＫおよび／または肯定ＳＲを搬送するＰＵＣＣＨ伝送が同一サブフレーム内で偶然同時に起こるときは常時、ＳＲＳを伝送し得ない。
−ＦＤＤ−ＴＤＤに関して、フレーム構造１が、ＰＵＣＣＨグループ内の対応する一次−セル／ＰＵＣＣＨ−二次−セルで使用されるとき、ＵＥは、パラメータａｃｋＮａｃｋＳＲＳ−ＳｉｍｕｌｔａｎｅｏｕｓＴｒａｎｓｍｉｓｓｉｏｎがＴＲＵＥである場合、ＳＲＳ伝送ならびに短縮フォーマットを使用してＨＡＲＱ−ＡＣＫおよび／または肯定ＳＲを搬送するＰＵＣＣＨ伝送が同一シンボル内で偶然重複するときは常時、シンボル内でＳＲＳを伝送し得ない。
−別様に禁止されない限り、ＵＥは、パラメータａｃｋＮａｃｋＳＲＳ−ＳｉｍｕｌｔａｎｅｏｕｓＴｒａｎｓｍｉｓｓｉｏｎがＴＲＵＥである場合、ＳＲＳ伝送ならびに短縮フォーマットを使用してＨＡＲＱ−ＡＣＫおよび／または肯定ＳＲを搬送するＰＵＣＣＨ伝送が同一サブフレーム内で偶然同時に起こるときは常時、ＳＲＳを伝送し得る。
【０１１２】
多重ＴＡＧを用いて構成されないＵＥは、任意のサービングセル上のＳＲＳ伝送ならびに通常ＰＵＣＣＨフォーマットを使用してＨＡＲＱ−ＡＣＫおよび／または肯定ＳＲを搬送するＰＵＣＣＨ伝送が同一サブフレーム内で偶然同時に起こるときは常時、ＳＲＳを伝送し得ない。
【０１１３】
ＵｐＰＴＳでは、ＳＲＳ伝送インスタンスが、プリアンブルフォーマット４のためのＰＲＡＣＨ領域と重複する、またはサービングセル内で構成されたアップリンクシステム帯域幅の範囲を超えるときは常時、ＵＥは、ＳＲＳを伝送し得ない。
【０１１４】
説明されるように、本明細書に説明されるプロシージャは、同一ＰＵＣＣＨグループに適用される。例えば、ＵＥは、第１のＰＵＣＣＨグループ上のタイプ０トリガＳＲＳおよび第２のＰＵＣＣＨグループ上のＰＵＣＣＨフォーマット２／２ａ／２ｂ伝送が同一サブフレーム内で偶然同時に起こるとき、第１のＰＵＣＣＨグループ上のタイプ０トリガＳＲＳを伝送し得る。
【０１１５】
高次層によって提供されるパラメータａｃｋＮａｃｋＳＲＳ−ＳｉｍｕｌｔａｎｅｏｕｓＴｒａｎｓｍｉｓｓｉｏｎは、ＵＥが、１つのサブフレーム内でＰＵＣＣＨ上のＨＡＲＱ−ＡＣＫおよびＳＲＳの伝送をサポートするように構成されるかどうかを判定する。１つのサブフレーム内でＰＵＣＣＨ上のＨＡＲＱ−ＡＣＫおよびＳＲＳの伝送をサポートするように構成される場合、ＰＵＣＣＨリソース（一次−セルまたはＰＵＣＣＨ−二次−セル）ａｃｋＮａｃｋＳＲＳ−ＳｉｍｕｌｔａｎｅｏｕｓＴｒａｎｓｍｉｓｓｉｏｎを伴う対応するセルのセル特有ＳＲＳサブフレームにおいて、ＵＥは、短縮ＰＵＣＣＨフォーマットを使用して、ＨＡＲＱ−ＡＣＫおよびＳＲを伝送し得、ＳＲＳ場所に対応するＨＡＲＱ−ＡＣＫまたはＳＲシンボルは、パンクチャリングされる。本短縮ＰＵＣＣＨフォーマットは、ＵＥがそのサブフレーム内でＳＲＳを伝送しない場合でも、ＰＵＣＣＨリソース（一次−セルまたはＰＵＣＣＨ−二次−セル）を伴う対応するセルのセル特有ＳＲＳサブフレーム内で使用されてもよい。そうでなければ、ＵＥは、ＨＡＲＱ−ＡＣＫおよびＳＲの伝送のために、通常ＰＵＣＣＨフォーマット１／１ａ／１ｂまたは通常ＰＵＣＣＨフォーマット３または通常ＰＵＣＣＨフォーマット４または通常ＰＵＣＣＨフォーマット５を使用してもよい。
【０１１６】
ＳＲＳ周期性
【数２３】
0006437666.tif 000027
およびＳＲＳサブフレームオフセット
【数２４】
0006437666.tif 000028
に関するサービングセル内のＵＥの例示的トリガタイプ０ＳＲＳ構成は、図１６Ａの例示的表Ａに定義される。異なる表が、ＦＤＤおよびＴＤＤサービングセルのために定義され得る。ＳＲＳ伝送の周期性
【数２５】
0006437666.tif 000029
は、サービングセル特有であってもよく、例えば、セット｛２、５、１０、２０、４０、８０、１６０、３２０｝ミリ秒またはサブフレームから選択されてもよい。ＴＤＤサービングセル内の２ミリ秒のＳＲＳ周期性
【数２６】
0006437666.tif 000030
に関して、２つのＳＲＳリソースが、所与のサービングセルのＵＬサブフレームを含有する半フレーム内で構成され得る。
【０１１７】
【数２７】
0006437666.tif 000031
を伴うＴＤＤサービングセルおよびＦＤＤサービングセルのための所与のサービングセル内のタイプ０トリガＳＲＳ伝送インスタンスは、
【数２８】
0006437666.tif 000032
を満たすサブフレームであり得、ＦＤＤに関して、
【数２９】
0006437666.tif 000033
は、フレーム内のサブフレームインデックスであって、ＴＤＤサービングセルに関して、ＵＥが、ＵｐＰＴＳ内で２つまたは４つの付加的ＳＣ−ＦＤＭＡシンボルを用いて構成される場合、
【数３０】
0006437666.tif 000034
は、図１６Ｂの例示的表Ｂに定義され得、そうでなければ、
【数３１】
0006437666.tif 000035
は、図１６Ｃの例示的表Ｃに定義され得る。
【数３２】
0006437666.tif 000036
を伴うＴＤＤサービングセルのためのＳＲＳ伝送インスタンスは、
【数３３】
0006437666.tif 000037
を満たすサブフレームであり得る。
【０１１８】
例示的実装では、ＴＤＤサービングセル、およびサービングセルｃ内でタイプ０トリガＳＲＳ伝送のために構成されたＵＥ、およびサービングセルｃのためにパラメータＥＩＭＴＡ−ＭａｉｎＣｏｎｆｉｇＳｅｒｖＣｅｌｌ−ｒ１２を用いて構成されたＵＥに関して、ＵＥが、無線フレームｍのためのＵＬ／ＤＬ構成インジケーションを検出しない場合、ＵＥは、ＵＥが同一サブフレーム内でＰＵＳＣＨを伝送しない限り、ダウンリンクサブフレームとしてパラメータｅｉｍｔａ−ＨＡＲＱ−ＲｅｆｅｒｅｎｃｅＣｏｎｆｉｇ−ｒ１２によって示される無線フレームｍのサブフレーム内でトリガタイプ０ＳＲＳを伝送し得ない。
【０１１９】
ＳＲＳ周期性
【数３４】
0006437666.tif 000038
およびＳＲＳサブフレームオフセット
【数３５】
0006437666.tif 000039
のためのサービングセル内のＵＥのトリガタイプ１ＳＲＳ構成は、それぞれ、ＦＤＤおよびＴＤＤサービングセルに関して事前に構成された構成表内に定義されてもよい。ＳＲＳ伝送の周期性
【数３６】
0006437666.tif 000040
は、サービングセル特有であってもよく、セット｛２、５、１０｝ミリ秒またはサブフレームから選択されてもよい。ＴＤＤサービングセル内の２ミリ秒のＳＲＳ周期性
【数３７】
0006437666.tif 000041
に関して、２つのＳＲＳリソースが、所与のサービングセルのＵＬサブフレームを含有する半フレーム内で構成され得る。
【０１２０】
サービングセルｃ内のタイプ１トリガＳＲＳ伝送のために構成され、キャリアインジケータフィールドを用いて構成されない、ＵＥは、サービングセルｃ上のＰＤＣＣＨ／ＥＰＤＣＣＨスケジューリングＰＵＳＣＨ／ＰＤＳＣＨ内の肯定ＳＲＳ要求の検出に応じて、サービングセルｃ上でＳＲＳを伝送し得る。
【０１２１】
サービングセルｃ内のタイプ１トリガＳＲＳ伝送のために構成され、キャリアインジケータフィールドを用いて構成されたＵＥは、サービングセルｃに対応するキャリアインジケータフィールドの値を伴うＰＤＣＣＨ／ＥＰＤＣＣＨスケジューリングＰＵＳＣＨ／ＰＤＳＣＨ内における肯定ＳＲＳ要求の検出に応じて、サービングセルｃ上でＳＲＳを伝送し得る。
【０１２２】
サービングセルｃのサブフレームｎ内の肯定ＳＲＳ要求の検出に応じたサービングセルｃ上のタイプ１トリガＳＲＳ伝送のために構成されたＵＥは、
【数３８】
0006437666.tif 000042
を伴うＴＤＤサービングセルｃおよびＦＤＤサービングセルｃに関して、
【数３９】
0006437666.tif 000043
および
【数４０】
0006437666.tif 000044
を満たし、
【数４１】
0006437666.tif 000045
を伴うＴＤＤサービングセルｃに関して、
【数４２】
0006437666.tif 000046
を満たす、第１のサブフレーム内でＳＲＳ伝送を開始し得、ＦＤＤサービングセルｃに関して、
【数４３】
0006437666.tif 000047
は、フレーム
【数４４】
0006437666.tif 000048
内のサブフレームインデックスであり得、ＴＤＤサービングセルｃに関して、ＵＥが、ＵｐＰＴＳ内で２つまたは４つの付加的ＳＣ−ＦＤＭＡシンボルを用いて構成される場合、
【数４５】
0006437666.tif 000049
は、図１６Ｃにおける例示的表Ｃに定義され得、そうでなければ、
【数４６】
0006437666.tif 000050
は、図１６Ｂにおける例示的表Ｂに定義され得る。
【０１２３】
タイプ１トリガＳＲＳ伝送のために構成されたＵＥは、同一サブフレームおよび同一サービングセルのために、高次層信号伝達によって構成される、トリガタイプ１ＳＲＳ伝送パラメータの異なる値と関連付けられたタイプ１ＳＲＳトリガイベントを受信することは予期され得ない。ＴＤＤサービングセルｃおよびサービングセルｃのためにＥＩＭＴＡ−ＭａｉｎＣｏｎｆｉｇＳｅｒｖＣｅｌｌ−ｒ１２を用いて構成されたＵＥに関して、ＵＥは、ダウンリンクサブフレームとして対応するｅＩＭＴＡ−ＵＬ／ＤＬ−構成によって示される、無線フレームのサブフレーム内でＳＲＳを伝送し得ない。
【０１２４】
ＵＥは、ＳＲＳおよびランダムアクセス応答許可に対応するＰＵＳＣＨ伝送または競合ベースのランダムアクセスプロシージャの一部としての同一トランスポートブロックの再伝送が同一サブフレーム内で同時に起こるときは常時、ＳＲＳを伝送し得ない。
【０１２５】
ＳＲＳ実装のための例示的実施形態が、説明される。サウンディング基準信号シーケンス
【数４７】
0006437666.tif 000051
が、定義されてもよく、式中、ｕは、シーケンスグループ数であって、ｖは、ベースシーケンス数である。サウンディング基準信号の循環シフト
【数４８】
0006437666.tif 000052
は、以下によって与えられてもよい。
【数４９】
0006437666.tif 000053
式中、
【数５０】
0006437666.tif 000054
は、それぞれ、ＵＥのための高次層パラメータｃｙｃｌｉｃＳｈｉｆｔおよびｃｙｃｌｉｃＳｈｉｆｔ−ａｐによって周期的および非周期的サウンディングの構成のために別個に構成されてもよく、
【数５１】
0006437666.tif 000055
は、サウンディング基準信号伝送のために使用されるアンテナポートの数である。例示的実施形態では、サウンディング基準信号構成のために
【数５２】
0006437666.tif 000056
である場合、パラメータ
【数５３】
0006437666.tif 000057
となり、そうでなければ、
【数５４】
0006437666.tif 000058
となる。
【０１２６】
シーケンスは、以下に従って、伝送電力
【数５５】
0006437666.tif 000059
に一致させるために、振幅スケーリング係数
【数５６】
0006437666.tif 000060
で乗算され、
【数５７】
0006437666.tif 000061
から開始するシーケンスにおいてアンテナポートｐ上のリソース要素（ｋ，ｌ）にマップされてもよい。
【数５８】
0006437666.tif 000062
【０１２７】
実施例では、Ｎａｐは、サウンディング基準信号伝送のために使用されるアンテナポートの数であって、インデックス
【数５９】
0006437666.tif 000063
とアンテナポートｐとの間の関係は、事前に定義されてもよい。パラメータＫＴＣは、構成される場合、高次層パラメータ［Ｎｕｍｂｅｒ−ｏｆ−ｃｏｍｂｓ］によって与えられてもよく、そうでなければ、ＫＴＣ＝２となる。サウンディング基準信号伝送のために使用されるアンテナポートのセットは、周期的および非周期的サウンディングの構成のために独立して構成されてもよい。数量
【数６０】
0006437666.tif 000064
は、サウンディング基準信号の周波数ドメイン開始位置であり得、
【数６１】
0006437666.tif 000065
は、
【数６２】
0006437666.tif 000066
として定義されたサウンディング基準信号シーケンスの長さであり得、式中、
【数６３】
0006437666.tif 000067
は、アップリンク帯域幅
【数６４】
0006437666.tif 000068
のために事前に定義されてもよい。セル特有パラメータｓｒｓ−ＢａｎｄｗｉｄｔｈＣｏｎｆｉｇ
【数６５】
0006437666.tif 000069
およびＵＥ特有パラメータｓｒｓ−Ｂａｎｄｗｉｄｔｈ
【数６６】
0006437666.tif 000070
は、高次層によって与えられ得る。ＵｐＰＴＳに関して、ｍＳＲＳ，０は、本再構成が高次層によって与えられるセル特有パラメータｓｒｓＭａｘＵｐＰｔｓによってイネーブルにされる場合、
【数６７】
0006437666.tif 000071
に再構成されてもよく、そうでなければ、再構成がディスエーブルにされる場合、
【数６８】
0006437666.tif 000072
となり、式中、ｃは、ＳＲＳ  ＢＷ構成であって、ＣＳＲＳは、アップリンク帯域幅
【数６９】
0006437666.tif 000073
のために事前に定義されたＳＲＳＢＷ構成のセットであって、ＮＲＡは、対処されるＵｐＰＴＳ内のフォーマット４ＰＲＡＣＨの数であり得、構成表に従って与えられ得る。
【０１２８】
周波数ドメイン開始位置
【数７０】
0006437666.tif 000074
は、以下によって定義される。
【数７１】
0006437666.tif 000075
式中、通常アップリンクサブフレームに関して、
【数７２】
0006437666.tif 000076
は、以下によって定義され、
【数７３】
0006437666.tif 000077
ＵｐＰＴＳに関して、以下によって定義される。
【数７４】
0006437666.tif 000078
数量
【数７５】
0006437666.tif 000079
は、以下によって与えられる。
【数７６】
0006437666.tif 000080
【０１２９】
実施例では、インデックス
【数７７】
0006437666.tif 000081
とアンテナポートｐとの間の関係は、事前に定義されてもよく、
【数７８】
0006437666.tif 000082
は、それぞれ、ＵＥのために高次層によって提供される周期的および非周期的伝送の構成のためのＵＥ特有パラメータｔｒａｎｓｍｉｓｓｉｏｎＣｏｍｂまたはｔｒａｎｓｍｉｓｓｉｏｎＣｏｍｂ−ａｐによって与えられ、ｎｂは、周波数位置インデックスである。変数ｎｈｆは、第１の半フレーム内のＵｐＰＴＳに関して、０に等しく、無線フレームの第２の半フレーム内のＵｐＰＴＳに関して、１に等しい。
【０１３０】
サウンディング基準信号の周波数ホッピングは、高次層パラメータｓｒｓ−ＨｏｐｐｉｎｇＢａｎｄｗｉｄｔｈによって提供されるパラメータ
【数７９】
0006437666.tif 000083
によって構成されてもよい。周波数ホッピングは、非周期的伝送のためにサポートされ得ない。サウンディング基準信号の周波数ホッピングがイネーブルにされない
【数８０】
0006437666.tif 000084
場合、周波数位置インデックスｎｂは、一定のままであって（再構成されない限り）、
【数８１】
0006437666.tif 000085
によって定義され、式中、パラメータｎＲＲＣは、それぞれ、周期的および非周期的伝送の構成のために高次層パラメータｆｒｅｑＤｏｍａｉｎＰｏｓｉｔｉｏｎおよびｆｒｅｑＤｏｍａｉｎＰｏｓｉｔｉｏｎ−ａｐによって与えられる。サウンディング基準信号の周波数ホッピングがイネーブルにされる
【数８２】
0006437666.tif 000086
場合、周波数位置インデックスｎｂは、所定の公式に基づいて定義されてもよい。
【０１３１】
サウンディング基準信号は、アップリンクサブフレームの最後のシンボル内で伝送されてもよい。
【０１３２】
ｅＮＢは、１つまたはそれを上回るＲＲＣメッセージをＵＥに伝送し、１つまたはそれを上回るセル上でＳＲＳ信号を構成してもよい。１つまたはそれを上回るＲＲＣメッセージは、ＩＥＳｏｕｎｄｉｎｇＲＳ−ＵＬ−Ｃｏｎｆｉｇを構成し、セルの周期的および非周期的サウンディングのためのアップリンクサウンディングＲＳ構成を規定してもよい。例えば、ＩＥＳｏｕｎｄｉｎｇＲＳ−ＵＬ−ＣｏｎｆｉｇＣｏｍｍｏｎは、ｓｒｓ−ＢａｎｄｗｉｄｔｈＣｏｎｆｉｇ：ＥＮＵＭＥＲＡＴＥＤ｛ｂｗ０，ｂｗ１，ｂｗ２，ｂｗ３，ｂｗ４，ｂｗ５，ｂｗ６，ｂｗ７｝、ｓｒｓ−ＳｕｂｆｒａｍｅＣｏｎｆｉｇ：ＥＮＵＭＥＲＡＴＥＤ｛ｓｃ０，ｓｃ１，ｓｃ２，ｓｃ３，ｓｃ４，ｓｃ５，ｓｃ６，ｓｃ７，ｓｃ８，ｓｃ９，ｓｃ１０，ｓｃ１１，ｓｃ１２，ｓｃ１３，ｓｃ１４，ｓｃ１５｝、ａｃｋＮａｃｋＳＲＳ−ＳｉｍｕｌｔａｎｅｏｕｓＴｒａｎｓｍｉｓｓｉｏｎ：ＢＯＯＬＥＡＮ、および／またはｓｒｓ−ＭａｘＵｐＰｔｓ：ＥＮＵＭＥＲＡＴＥＤ｛ｔｒｕｅ｝ＯＰＴＩＯＮＡＬ−−ＣｏｎｄＴＤＤを含んでもよい。
【０１３３】
ＩＥ  ＳｏｕｎｄｉｎｇＲＳ−ＵＬ−ＣｏｎｆｉｇＤｅｄｉｃａｔｅｄは、ｓｒｓ−Ｂａｎｄｗｉｄｔｈ：ＥＮＵＭＥＲＡＴＥＤ｛ｂｗ０，ｂｗ１，ｂｗ２，ｂｗ３｝、ｓｒｓ−ＨｏｐｐｉｎｇＢａｎｄｗｉｄｔｈ：ＥＮＵＭＥＲＡＴＥＤ｛ｈｂｗ０，ｈｂｗ１，ｈｂｗ２，ｈｂｗ３｝、ｆｒｅｑＤｏｍａｉｎＰｏｓｉｔｉｏｎ：ＩＮＴＥＧＥＲ（０．．２３）、ｄｕｒａｔｉｏｎ：ＢＯＯＬＥＡＮ、ｓｒｓ−ＣｏｎｆｉｇＩｎｄｅｘ：ＩＮＴＥＧＥＲ（０．．１０２３）、ｔｒａｎｓｍｉｓｓｉｏｎＣｏｍｂ：ＩＮＴＥＧＥＲ（０．．１）、および／またはｃｙｃｌｉｃＳｈｉｆｔ：ＥＮＵＭＥＲＡＴＥＤ｛ｃｓ０，ｃｓ１，ｃｓ２，ｃｓ３，ｃｓ４，ｃｓ５，ｃｓ６，ｃｓ７｝｝を含んでもよい。ＩＥ  ＳｏｕｎｄｉｎｇＲＳ−ＵＬ−ＣｏｎｆｉｇＤｅｄｉｃａｔｅｄは、ｓｒｓ−ＡｎｔｅｎｎａＰｏｒｔ：ＳＲＳ−ＡｎｔｅｎｎａＰｏｒｔを含んでもよい。ＩＥ  ＳｏｕｎｄｉｎｇＲＳ−ＵＬ−ＣｏｎｆｉｇＤｅｄｉｃａｔｅｄは、ｔｒａｎｓｍｉｓｓｉｏｎＣｏｍｂ：ＩＮＴＥＧＥＲ（２．．３）；ｃｙｃｌｉｃＳｈｉｆｔ：ＥＮＵＭＥＲＡＴＥＤ｛ｃｓ８，ｃｓ９，ｃｓ１０，ｃｓ１１｝および／またはｔｒａｎｓｍｉｓｓｉｏｎＣｏｍｂＮｕｍ：ＥＮＵＭＥＲＡＴＥＤ｛ｎ２、ｎ４｝を含んでもよい。
【０１３４】
図１７は、本発明の実施形態のある側面による、例示的フロー図である。無線デバイスは、１７１０において、少なくとも１つのメッセージを基地局から受信してもよい。メッセージは、複数のセルの１つまたはそれを上回る構成パラメータを含んでもよい。複数のセルは、複数の物理アップリンク制御チャネル（ＰＵＣＣＨ）グループにグループ化されてもよい。ＰＵＣＣＨグループは、第１のＰＵＣＣＨグループおよび第２のＰＵＣＣＨグループを含んでもよい。第１のＰＵＣＣＨグループは、第１のＰＵＣＣＨが基地局に伝送される、第１のＰＵＣＣＨセルを含んでもよい。第２のＰＵＣＣＨグループは、第２のＰＵＣＣＨが基地局に伝送される、第２のＰＵＣＣＨセルを含んでもよい。ある実施形態によると、無線デバイスは、アップリンク電力が限定されなくてもよい。実施例では、第１のＰＵＣＣＨグループは、一次ＰＵＣＣＨグループであって、第２のＰＵＣＣＨグループは、二次ＰＵＣＣＨグループである。別の実施例では、第１のＰＵＣＣＨグループは、二次ＰＵＣＣＨグループであって、第２のＰＵＣＣＨグループは、一次ＰＵＣＣＨグループである。
【０１３５】
１７２０において、無線デバイスは、サブフレームおよび第１のＰＵＣＣＨグループ内において、第１のＰＵＣＣＨグループに関するサウンディングプロシージャを採用して、少なくとも１つのＳＲＳを伝送してもよい。サウンディングプロシージャは、少なくとも部分的に、第１のＰＵＣＣＨグループ内の物理アップリンク共有チャネル（ＰＵＳＣＨ）および／またはＰＵＣＣＨの伝送に依存し得る。サウンディングプロシージャは、第２のＰＵＣＣＨグループ内のＰＵＣＣＨおよびＰＵＳＣＨの伝送から独立してもよい。
【０１３６】
ある実施形態によると、サウンディングプロシージャは、１つまたはそれを上回るＳＲＳを伝送するための第１のプロシージャと、１つまたはそれを上回るＳＲＳの伝送をドロップするための第２のプロシージャとを含んでもよい。ある実施形態によると、無線デバイスはさらに、第２のＰＵＣＣＨグループの第２のセル上の第１のデータパケットと並行して、第１のＰＵＣＣＨグループの第１のセル上で第１のＳＲＳを伝送することを含んでもよい。無線デバイスはさらに、第２のデータパケットが、第２のＳＲＳの構成された伝送と並行して、第１のＰＵＣＣＨグループの第３のセル上で伝送されるとき、第１のセル上の第２のＳＲＳの構成された伝送をドロップすることを含んでもよい。ある実施形態によると、無線デバイスはさらに、第２のＰＵＣＣＨセル上の第１のＰＵＣＣＨ信号と並行して、第１のＰＵＣＣＨグループの第１のセル上で第１のＳＲＳを伝送することを含んでもよい。無線デバイスはさらに、第２のＰＵＣＣＨ信号が、第２のＳＲＳの構成された伝送と並行して、第１のＰＵＣＣＨセル上で伝送されるとき、第１のセル上の第２のＳＲＳの構成された伝送をドロップすることを含んでもよい。
【０１３７】
ある実施形態によると、メッセージは、ＳＲＳ帯域幅パラメータおよびＳＲＳサブフレーム構成パラメータを含む、ＳＲＳ構成パラメータを含んでもよい。ある実施形態によると、無線デバイスはさらに、少なくとも１つのメッセージ内のメッセージに応答して、ＳＲＳタイプ１伝送をトリガすることを含んでもよい。無線デバイスはさらに、ダウンリンク物理チャネル上で伝送されるダウンリンク制御情報に応答して、ＳＲＳタイプ２伝送をトリガすることを含んでもよい。
【０１３８】
図１８は、本発明の実施形態のある側面による、例示的フロー図である。無線デバイスは、１８１０において、少なくとも１つのメッセージを基地局から受信してもよい。メッセージは、１つまたはそれを上回る複数のセルの構成パラメータを含んでもよい。複数のセルは、複数の物理アップリンク制御チャネル（ＰＵＣＣＨ）グループにグループ化されてもよい。ＰＵＣＣＨグループは、第１のＰＵＣＣＨグループおよび第２のＰＵＣＣＨグループを含んでもよい。第１のＰＵＣＣＨグループは、第１のＰＵＣＣＨが基地局に伝送される、第１のＰＵＣＣＨセルを含んでもよい。第２のＰＵＣＣＨグループは、第２のＰＵＣＣＨが基地局に伝送される、第２のＰＵＣＣＨセルを含んでもよい。ある実施形態によると、無線デバイスは、アップリンク電力が限定されなくてもよい。
【０１３９】
１８２０において、無線デバイスは、第２のＰＵＣＣＨグループの第２のセル上の第１のデータパケットと並行して、第１のＰＵＣＣＨグループの第１のセル上で第１のＳＲＳを伝送してもよい。１８３０において、無線デバイスは、第２のデータパケットが、第２のＳＲＳの構成された伝送と並行して、第１のＰＵＣＣＨグループの第３のセル上で伝送されるとき、第１のセル上の第２のＳＲＳの構成された伝送をドロップしてもよい。
【０１４０】
ある実施形態によると、第１のセルは、第１のＰＵＣＣＨセルと同一であってもよい。第２のセルは、第２のＰＵＣＣＨセルと同一であってもよい。ある実施形態によると、無線デバイスはさらに、第１のＳＲＳと並行して、第２のＰＵＣＣＨセル上で第１のＰＵＣＣＨ信号を伝送してもよい。
【０１４１】
ある実施形態によると、メッセージは、ＳＲＳ構成パラメータを含んでもよい。ＳＲＳ構成パラメータは、例えば、ＳＲＳ帯域幅パラメータおよび／またはＳＲＳサブフレーム構成パラメータを含んでもよい。ある実施形態によると、無線デバイスはさらに、少なくとも１つのメッセージ内のメッセージに応答して、ＳＲＳタイプ１伝送をトリガしてもよい。無線デバイスは、ダウンリンク物理チャネル上で伝送されるダウンリンク制御情報に応答して、ＳＲＳタイプ２伝送をトリガしてもよい。
【０１４２】
図１９は、本発明の実施形態のある側面による、例示的フロー図である。無線デバイスは、１９１０において、少なくとも１つのメッセージを基地局から受信してもよい。メッセージは、１つまたはそれを上回る複数のセルの構成パラメータを含んでもよい。複数のセルは、複数の物理アップリンク制御チャネル（ＰＵＣＣＨ）グループにグループ化されてもよい。ＰＵＣＣＨグループは、第１のＰＵＣＣＨグループおよび第２のＰＵＣＣＨグループを含んでもよい。第１のＰＵＣＣＨグループは、第１のＰＵＣＣＨが基地局に伝送される、第１のＰＵＣＣＨセルを含んでもよい。第２のＰＵＣＣＨグループは、第２のＰＵＣＣＨが基地局に伝送される、第２のＰＵＣＣＨセルを含んでもよい。ある実施形態によると、無線デバイスは、アップリンク電力が限定されなくてもよい。
【０１４３】
１９２０において、無線デバイスは、第２のＰＵＣＣＨセル上の第１のＰＵＣＣＨ信号と並行して、第１のＰＵＣＣＨグループの第１のセル上で第１のＳＲＳを伝送してもよい。１９３０において、無線デバイスは、第２のＰＵＣＣＨ信号が、第２のＳＲＳの構成された伝送と並行して、第１のＰＵＣＣＨセル上で伝送されるとき、第１のセル上の第２のＳＲＳの構成された伝送をドロップしてもよい。
【０１４４】
ある実施形態によると、第１のセルは、第１のＰＵＣＣＨセルと同一であってもよい。ある実施形態によると、無線デバイスは、第１のＳＲＳと並行して、第２のＰＵＣＣＨグループ上で第１のデータパケットを伝送してもよい。ある実施形態によると、第１のＰＵＣＣＨ信号および第２のＰＵＣＣＨ信号は、ＰＵＣＣＨフォーマット２／２ａ／２であってもよく、第１のＳＲＳおよび第２のＳＲＳは、タイプ０であってもよい。ある実施形態によると、第１のＰＵＣＣＨ信号および第２のＰＵＣＣＨ信号は、ＨＡＲＱ−ＡＣＫ伝送を伴うＰＵＣＣＨフォーマット２ａ／２ｂであってもよく、第１のＳＲＳおよび第２のＳＲＳは、タイプ１である。ある実施形態によると、少なくとも１つのメッセージは、ＳＲＳ帯域幅パラメータおよびＳＲＳサブフレーム構成パラメータを含む、ＳＲＳ構成パラメータを含んでもよい。ある実施形態によると、無線デバイスは、少なくとも１つのメッセージ内のメッセージに応答して、ＳＲＳタイプ１伝送をトリガしてもよい。無線デバイスは、ダウンリンク物理チャネル上で伝送されるダウンリンク制御情報に応答して、ＳＲＳタイプ２伝送をトリガしてもよい。
【０１４５】
ある実施形態によると、無線デバイスは、複数の物理アップリンク制御チャネル（ＰＵＣＣＨ）グループにグループ化された複数のセルの構成パラメータを含む、少なくとも１つのメッセージを受信してもよい。無線デバイスは、第１のＰＵＣＣＨグループに関するサウンディングプロシージャを採用して、サブフレームおよび第１のＰＵＣＣＨグループ内において、少なくとも１つのＳＲＳを伝送してもよい。サウンディングプロシージャは、少なくとも部分的に、第１のＰＵＣＣＨグループ内の物理アップリンク共有チャネル（ＰＵＳＣＨ）またはＰＵＣＣＨの伝送に依存し得、サウンディングプロシージャは、第２のＰＵＣＣＨグループ内のＰＵＣＣＨおよびＰＵＳＣＨの伝送から独立してもよい。
【０１４６】
ある実施形態によると、無線デバイスは、複数の物理アップリンク制御チャネル（ＰＵＣＣＨ）グループにグループ化された複数のセルの構成パラメータを含む、少なくとも１つのメッセージを受信してもよい。無線デバイスは、第２のＰＵＣＣＨグループの第２のセル上の第１のデータパケットと並行して、第１のＰＵＣＣＨグループの第１のセル上で第１のＳＲＳを伝送してもよい。無線デバイスは、第２のデータパケットが、第２のＳＲＳの構成された伝送と並行して、第１のＰＵＣＣＨグループの第３のセル上で伝送されるとき、第１のセル上の第２のＳＲＳの構成された伝送をドロップしてもよい。
【０１４７】
ある実施形態によると、無線デバイスは、複数の物理アップリンク制御チャネル（ＰＵＣＣＨ）グループにグループ化された複数のセルの構成パラメータを含む、少なくとも１つのメッセージを受信してもよい。無線デバイスは、第２のＰＵＣＣＨセル上の第１のＰＵＣＣＨ信号と並行して、第１のＰＵＣＣＨグループの第１のセル上で第１のＳＲＳを伝送してもよい。無線デバイスは、第２のＰＵＣＣＨ信号が、第２のＳＲＳの構成された伝送と並行して、第１のＰＵＣＣＨセル上で伝送されるとき、第１のセル上の第２のＳＲＳの構成された伝送をドロップしてもよい。
【０１４８】
一次ＰＵＣＣＨグループは、ＰＣｅｌｌを含む、サービングセルのグループを含んでもよく、そのＰＵＣＣＨ信号伝達は、ＰＣｅｌｌ上のＰＵＣＣＨと関連付けられてもよい。ＰＵＣＣＨグループは、一次ＰＵＣＣＨグループおよび／または二次ＰＵＣＣＨグループのいずれかを含んでもよい。ＰＵＣＣＨ  ＳＣｅｌｌは、ＰＵＣＣＨを用いて構成された二次セルを含んでもよい。二次ＰＵＣＣＨグループは、ＳＣｅｌｌのグループを含んでもよく、そのＰＵＣＣＨ信号伝達は、ＰＵＣＣＨ  ＳＣｅｌｌ上のＰＵＣＣＨと関連付けられる。ＰＵＣＣＨは、ＰＣｅｌｌ、ＰＵＣＣＨ  ＳＣｅｌｌ（ＣＡにおいてそのように構成される場合）、および／またはＰＳＣｅｌｌ（例えば、デュアルコネクティビティ（ＤＣ）において）上で伝送されてもよい。
【０１４９】
ＵＥのためのサービングセルの構成されたセットは、１つのＰＣｅｌｌおよび１つまたはそれを上回るＳＣｅｌｌを含んでもよい。ＤＣが構成されない場合、１つの付加的ＰＵＣＣＨが、ＳＣｅｌｌ、すなわち、ＰＵＣＣＨ  ＳＣｅｌｌ上で構成されてもよい。ＰＵＣＣＨ  ＳＣｅｌｌが構成される場合、ＲＲＣは、一次ＰＵＣＣＨグループおよび／または二次ＰＵＣＣＨグループへの各サービングセルのマッピングを構成してもよい（例えば、ＳＣｅｌｌ毎に、ＰＣｅｌｌおよび／またはＰＵＣＣＨ  ＳＣｅｌｌがＡＣＫ／ＮＡＫおよびＣＳＩ報告の伝送のために採用されるかどうか）。
【０１５０】
ＵＥは、各サービングセル上でトリガタイプ０およびトリガタイプ１のためのＳＲＳパラメータを用いて構成されてもよい。以下のＳＲＳパラメータは、サービングセル特有であって、トリガタイプ０および／またはトリガタイプ１のために高次層によって半静的に構成可能であり得る。
【０１５１】
例示的実施形態によると、ＵＥが、ＰＵＣＣＨ−ＳＣｅｌｌを用いて構成される場合、ＵＥは、一次ＰＵＣＣＨグループおよび二次ＰＵＣＣＨグループの両方のためのプロシージャを適用してもよい。例えば、プロシージャが、一次ＰＵＣＣＨグループのために適用されるとき、用語「二次セル」、「複数の二次セル」、「サービングセル」、および／または「複数のサービングセル」は、それぞれ、一次ＰＵＣＣＨグループに属する二次セル、複数の二次セル、サービングセル、および／または複数のサービングセルを指し得る。例えば、プロシージャが、二次ＰＵＣＣＨグループに適用されるとき、用語「二次セル」、「複数の二次セル」、「サービングセル」、および／または「複数のサービングセル」は、それぞれ、二次ＰＵＣＣＨグループに属する二次セル、複数の二次セル（ＰＵＣＣＨ−ＳＣｅｌｌを含まない）、サービングセル、複数のサービングセルを指し得る。用語「一次セル」は、二次ＰＵＣＣＨグループのＰＵＣＣＨ−ＳＣｅｌｌを指し得る。
【０１５２】
ＵＥは、２つのトリガタイプ：トリガタイプ０（例えば、高次層信号伝達）およびトリガタイプ１（例えば、ＦＤＤおよびＴＤＤのためのＤＣＩフォーマット０／４／１ＡならびにＴＤＤのためのＤＣＩフォーマット２Ｂ／２Ｃ／２Ｄ）に基づいて、サービングセルＳＲＳリソースあたりでサウンディング基準シンボル（ＳＲＳ）を伝送してもよい。
【０１５３】
本明細書では、「ａ」および「ａｎ」および類似語句は、「少なくとも１つ」および「１つまたはそれを上回る」として解釈されるべきである。本明細書では、用語「ｍａｙ（〜してもよい）」は、「ｍａｙ，  ｆｏｒ  ｅｘａｍｐｌｅ（例えば、〜してもよい）」として解釈されるべきである。言い換えると、用語「ｍａｙ（〜してもよい）」は、用語「ｍａｙ（〜してもよい）」に続く語句が、種々の実施形態のうちの１つまたはそれを上回るものに採用されてもよい、またはそうではなくてもよい、多数の好適な可能性のうちの１つの実施例であることを示す。ＡおよびＢが、設定され、Ａの全要素がまた、Ｂの要素である場合、Ａは、Ｂのサブセットと呼ばれる。本明細書では、非空のセットおよびサブセットのみが、考慮される。例えば、Ｂ＝｛セル１、セル２｝の可能性として考えられるサブセットは、｛セル１｝、｛セル２｝、および｛セル１、セル２｝である。
【０１５４】
本明細書では、パラメータ（情報要素：ＩＥ）は、１つまたはそれを上回るオブジェクトを含んでもよく、それらのオブジェクトはそれぞれ、１つまたはそれを上回る他のオブジェクトを含んでもよい。例えば、パラメータ（ＩＥ）Ｎが、パラメータ（ＩＥ）Ｍを含み、パラメータ（ＩＥ）Ｍが、パラメータ（ＩＥ）Ｋを含み、パラメータ（ＩＥ）Ｋが、パラメータ（情報要素）Ｊを含む場合、例えば、Ｎは、Ｋを含み、Ｎは、Ｊを含む。例示的実施形態では、１つまたはそれを上回るメッセージが、複数のパラメータを含むとき、複数のパラメータ内のパラメータは、１つまたはそれを上回るメッセージのうちの少なくとも１つ内に存在するが、１つまたはそれを上回るメッセージのそれぞれに存在する必要はないことを含意する。
【０１５５】
開示される実施形態に説明される要素の多くは、モジュールとして実装されてもよい。モジュールは、定義された機能を行い、他の要素への定義されたインターフェースを有する、隔離可能要素として本明細書に定義される。本開示に説明されるモジュールは、ハードウェア、ハードウェア、ファームウェア、ウエットウエア（すなわち、生物学的要素を伴うハードウェア）と組み合わせたソフトウェア、またはそれらの組み合わせにおいて実装されてもよく、それらは全て、挙動的均等物である。例えば、モジュールは、ハードウェア機械（Ｃ、Ｃ＋＋、Ｆｏｒｔｒａｎ、Ｊａｖａ（登録商標）、ＢＡＳＩＣ、Ｍａｔｌａｂ、または同等物等）またはＳｉｍｕｌｉｎｋ、Ｓｔａｔｅｆｌｏｗ、ＧＮＵ  Ｏｃｔａｖｅ、もしくはＬａｂＶＩＥＷＭａｔｈＳｃｒｉｐｔ等のモデル化／シミュレーションプログラムによって実行されるように構成される、コンピュータ言語で書かれたソフトウェアルーチンとして実装されてもよい。加えて、離散もしくはプログラマブルアナログ、デジタル、および／または量子ハードウェアを組み込む物理ハードウェアを使用して、モジュールを実装することが可能であり得る。プログラマブルハードウェアの実施例として、コンピュータ、マイクロコントローラ、マイクロプロセッサ、特定用途向け集積回路（ＡＳＩＣ）、フィールドプログラマブルゲートアレイ（ＦＰＧＡ）、および複合プログラマブル論理デバイス（ＣＰＬＤ）が挙げられる。コンピュータ、マイクロコントローラ、およびマイクロプロセッサは、アセンブリ、Ｃ、Ｃ＋＋、または同等物等の言語を使用してプログラムされる。ＦＰＧＡ、ＡＳＩＣ、およびＣＰＬＤは、多くの場合、プログラマブルデバイス上のより少ない機能性を用いて内部ハードウェアモジュール間の接続を構成する、ＶＨＳＩＣハードウェア記述言語（ＶＨＤＬ）またはＶｅｒｉｌｏｇ等のハードウェア記述言語（ＨＤＬ）を使用してプログラムされる。最後に、前述の技術は、多くの場合、機能モジュールの結果を達成するために組み合わせて使用されることを強調する必要がある。
【０１５６】
本特許文書の開示は、著作権保護を受ける内容を組み込む。本所有権者は、特許文書または特許開示書のいかなる者によるにも、法律によって要求される限定された目的のために、複写物が特許商標庁の特許ファイルまたは記録として世に出現している限り異論はないが、他の場合に全ての著作権は完全に留保する。
【０１５７】
種々の実施形態が前述されたが、それらは、限定ではなく、実施例として提示されていることを理解されたい。形態および詳細における種々の変更が、精神および範囲から逸脱することなく、本明細書に成されることができることは、当業者に明白となるであろう。実際、前述の説明を熟読後、代替実施形態を実装する方法が、当業者に明白となるであろう。したがって、本実施形態は、前述の例示的実施形態のいずれによっても限定されない。特に、例示的目的のために、前述の説明は、ＦＤＤ通信システムを使用する実施例に焦点を当てていることに留意されたい。しかしながら、当業者は、本発明の実施形態がまた、１つまたはそれを上回るＴＤＤセルを備えるシステム内にも実装されてもよいことを認識するであろう（例えば、フレーム構造２および／またはフレーム構造３認可支援アクセス）。開示される方法およびシステムは、無線または有線システム内に実装されてもよい。本発明に提示される種々の実施形態の特徴は、組み合わせられてもよい。一実施形態の１つまたは多くの特徴（方法またはシステム）は、他の実施形態内に実装されてもよい。限定数の例示的組み合わせのみ、強化伝送および受信システムならびに方法をもたらすために種々の実施形態内で組み合わせられ得る特徴の可能性を当業者に示すために示される。
【０１５８】
加えて、機能性および利点を強調している任意の図は、単に例示目的で提示されていることを理解されたい。開示されるアーキテクチャは、示されるものと以外の方法で利用され得るように、十分に柔軟性があって、かつ構成可能である。例えば、任意のフロー図に列挙されるアクションは、いくつかの実施形態では、並べ替えられる、または随意にのみ使用されてもよい。
【０１５９】
さらに、本開示の要約の目的は、米国特許商標庁および一般公衆、特に、特許または法律の用語もしくは表現に精通していない科学者、技術者、および実践者が、本願の技術的開示の性質および本質を大まかに調べることによって、素早く判断できるようにするものである。本開示の要約は、本発明の範囲をいかようにも限定することを意図するものではない。
【０１６０】
最後に、請求項のみが、米国特許法（３５Ｕ．Ｓ．Ｃ）第１１２条第６段落の下で解釈される「〜するための手段（ｍｅａｎｓ  ｆｏｒ）」または「〜するためのステップ（ｓｔｅｐ  ｆｏｒ）」という表現用語を含んでいるのは、本出願人の意図である。「〜するための手段（ｍｅａｎｓ  ｆｏｒ）」または「〜するためのステップ（ｓｔｅｐ  ｆｏｒ）」という語句を明示的に含んでいない請求項は、米国特許法（３５Ｕ．Ｓ．Ｃ）第１１２条の下で解釈するべきではない。
【図１】
0006437666.tif 000087
【図２】
0006437666.tif 000088
【図３】
0006437666.tif 000089
【図４】
0006437666.tif 000090
【図５】
0006437666.tif 000091
【図６】
0006437666.tif 000092
【図７】
0006437666.tif 000093
【図８】
0006437666.tif 000094
【図９】
0006437666.tif 000095
【図１０】
0006437666.tif 000096
【図１１】
0006437666.tif 000097
【図１２】
0006437666.tif 000098
【図１３】
0006437666.tif 000099
【図１４】
0006437666.tif 000100
【図１５】
0006437666.tif 000101
【図１６Ａ】
0006437666.tif 000102
【図１６Ｂ】
0006437666.tif 000103
【図１６Ｃ】
0006437666.tif 000104
【図１７】
0006437666.tif 000105
【図１８】
0006437666.tif 000106
【図１９】
0006437666.tif 000107